(57)【要約】【課題】遊技に対する興趣の向上を図ることができる遊技機を提供する。【解決手段】大当り遊技に関する有利度合いを定めた複数の設定情報のうち何れかの設定情報が設定される。特別演出には、設定された設定情報を示唆する示唆演出、及び、設定された設定情報を報知する報知演出のうち少なくとも一方がある。所定期間において特別演出が実行される場合に、特別演出の実行を特定可能な情報が記憶される。記憶された情報に基づいて、特別演出の実行を特定可能な履歴画像が表示される。【選択図】図８
2020028482.tif 000002
【特許請求の範囲】
【請求項１】
図柄変動ゲームで大当り表示結果が表示された後に、大入賞口を開状態にする大当り遊技を付与する遊技機において、
前記大当り遊技に関する有利度合いを定めた複数の設定情報のうち何れかの設定情報を設定する設定制御手段と、
記憶手段に情報を記憶させる記憶制御手段と、
画像を表示させる表示制御手段と、
演出を実行させる制御を行う演出制御手段と、を備え、
前記演出には、特別条件が成立すると実行される特別演出があり、
前記特別演出には、前記設定制御手段によって設定された設定情報を示唆する示唆演出、及び、前記設定制御手段によって設定された設定情報を報知する報知演出のうち少なくとも一方があり、
前記記憶制御手段は、所定期間において前記特別演出が実行される場合に、前記特別演出の実行を特定可能な情報を前記記憶手段に記憶させ、
前記表示制御手段は、前記記憶制御手段によって記憶された情報に基づいて、前記特別演出の実行を特定可能な履歴画像を表示させる遊技機。
【請求項２】
前記表示制御手段は、大当り遊技において履歴画像を表示させることができる請求項１に記載の遊技機。
【請求項３】
前記表示制御手段は、図柄変動ゲームにおいて履歴画像を表示させることができる請求項１又は請求項２に記載の遊技機。
【請求項４】
前記表示制御手段は、連続する複数回の図柄変動ゲームに跨って履歴画像を表示させることができる請求項１〜請求項３のうち何れか一項に記載の遊技機。
【請求項５】
前記所定期間は、所定回数の図柄変動ゲームが実行された期間、所定回数の大当り遊技が実行された期間、規定時間が経過するまでの期間、及び、規定時刻となるまでの期間のうち少なくとも何れかである請求項１〜請求項４のうち何れか一項に記載の遊技機。
【請求項６】
遊技状態を制御する遊技状態制御手段を備え、
前記遊技状態には、低確率状態と、前記低確率状態よりも大当り抽選の当選確率が高い高確率状態とがあり、
前記複数種類の設定情報には、前記低確率状態における前記大当り遊技に関する有利度合いと、前記高確率状態における前記大当り遊技に関する有利度合いとが定められている請求項１〜請求項５のうち何れか一項に記載の遊技機。
【発明の詳細な説明】
【技術分野】
【０００１】
本発明は、遊技機に関するものである。
【背景技術】
【０００２】
従来、パチンコ遊技機は、始動口への入球を契機として大当り抽選を行い、当該大当り抽選に当選すると、大入賞口を開放する大当り遊技を付与するように構成されている（例えば、特許文献１）。遊技者は、大当り遊技において多数の賞球を獲得し得ることから、その興趣が向上される。
【先行技術文献】
【特許文献】
【０００３】
【特許文献１】特開２００５−２６１７１１号公報
【発明の概要】
【発明が解決しようとする課題】
【０００４】
しかしながら、従来のパチンコ遊技機では、大当り確率など、大当り遊技に関する有利度合いが機種ごとに固定されているから、長時間の遊技の結果、飽きによって遊技者の興趣を低下させてしまう虞があり、遊技に対する興趣の向上が望まれている。
【０００５】
本発明は、このような従来の技術に鑑みてなされたものであり、その目的は、遊技に対する興趣の向上を図ることができる遊技機を提供することにある。
【課題を解決するための手段】
【０００６】
上記問題点を解決する遊技機は、図柄変動ゲームで大当り表示結果が表示された後に、大入賞口を開状態にする大当り遊技を付与する遊技機において、前記大当り遊技に関する有利度合いを定めた複数の設定情報のうち何れかの設定情報を設定する設定制御手段と、記憶手段に情報を記憶させる記憶制御手段と、画像を表示させる表示制御手段と、演出を実行させる制御を行う演出制御手段と、を備え、前記演出には、特別条件が成立すると実行される特別演出があり、前記特別演出には、前記設定制御手段によって設定された設定情報を示唆する示唆演出、及び、前記設定制御手段によって設定された設定情報を報知する報知演出のうち少なくとも一方があり、前記記憶制御手段は、所定期間において前記特別演出が実行される場合に、前記特別演出の実行を特定可能な情報を前記記憶手段に記憶させ、前記表示制御手段は、前記記憶制御手段によって記憶された情報に基づいて、前記特別演出の実行を特定可能な履歴画像を表示させる構成としてもよい。
【０００７】
上記遊技機について、前記表示制御手段は、大当り遊技において履歴画像を表示させることができる構成としてもよい。
上記遊技機について、前記表示制御手段は、図柄変動ゲームにおいて履歴画像を表示させることができる構成としてもよい。
【０００８】
上記遊技機について、前記表示制御手段は、連続する複数回の図柄変動ゲームに跨って履歴画像を表示させることができる構成としてもよい。
上記遊技機について、前記所定期間は、所定回数の図柄変動ゲームが実行された期間、所定回数の大当り遊技が実行された期間、規定時間が経過するまでの期間、及び、規定時刻となるまでの期間のうち少なくとも何れかである構成としてもよい。
【０００９】
上記遊技機について、遊技状態を制御する遊技状態制御手段を備え、前記遊技状態には、低確率状態と、前記低確率状態よりも大当り抽選の当選確率が高い高確率状態とがあり、前記複数種類の設定情報には、前記低確率状態における前記大当り遊技に関する有利度合いと、前記高確率状態における前記大当り遊技に関する有利度合いとが定められている構成としてもよい。
【発明の効果】
【００１０】
本発明によれば、遊技に対する興趣の向上を図ることができる。
【図面の簡単な説明】
【００１１】
【図１】パチンコ遊技機を模式的に示す図。
【図２】設定値（設定情報）を示す図。
【図３】電源投入時の制御内容の概略を示す図。
【図４】パチンコ遊技機の電気的構成を示す図。
【図５】第１予告演出及び第２予告演出を示す図。
【図６】（ａ）〜（ｈ）は、演出表示装置の表示態様を示す図。
【図７】（ａ）〜（ｈ）は、演出表示装置の表示態様を示す図。
【図８】（ａ）〜（ｄ）は、演出表示装置の表示態様を示す図。
【図９】第１予告演出制御処理を示す図。
【図１０】第２予告演出制御処理を示す図。
【図１１】履歴情報更新処理を示す図。
【図１２】履歴情報表示制御処理を示す図。
【図１３】履歴情報が有効となる期間を示す図。
【発明を実施するための形態】
【００１２】
［第１実施形態］
以下、パチンコ遊技機の一実施形態について説明する。
本明細書における上、下、左、右、前（表）、及び後（裏）は、遊技者から見たときの各方向を示すものとする。
【００１３】
図１に示すように、遊技機としてのパチンコ遊技機１０は、枠体１１を備えている。枠体１１は、遊技盤２０などの各種の部品を搭載するための部材である。
パチンコ遊技機１０は、発射ハンドル１６を備えている。例えば、発射ハンドル１６は、枠体１１の前面側に設けられている。パチンコ遊技機１０では、発射ハンドル１６の操作量（回動量）に応じた強度にて、遊技球（遊技媒体）が遊技盤２０の遊技領域２１に向けて発射される。すなわち、パチンコ遊技機１０は、発射ハンドル１６を操作することにより、遊技球の発射強度を調整可能に構成されている。
【００１４】
パチンコ遊技機１０は、装飾ランプ１７を備えている。例えば、装飾ランプ１７は、枠体１１の前面側に設けられている。装飾ランプ１７は、図示しない発光体を内蔵しており、該発光体によって発光、点滅、及び消灯が可能に構成されている。装飾ランプ１７は、演出の１つとして、発光、点滅、及び消灯する演出（以下、発光演出と示す）を実行する。
【００１５】
パチンコ遊技機１０は、スピーカ１８を備えている。例えば、スピーカ１８は、枠体１１の前面側に設けられている。スピーカ１８は、演出の１つとして、人や動物の声、効果音、及び楽曲などの音声を出力する演出（以下、音声演出と示す）を実行する。
【００１６】
パチンコ遊技機１０は、枠体１１の前面側であって、遊技者により操作可能な位置に、操作ボタン１９を備えている。操作ボタン１９は、例えば、演出の際に用いる。
パチンコ遊技機１０は、情報表示装置２２を備えている。例えば、情報表示装置２２は、遊技盤２０において、遊技者から視認可能な位置に設けられている。情報表示装置２２では、パチンコ遊技機１０の制御状態を示す各種の情報が報知される。
【００１７】
情報表示装置２２は、第１特別図柄表示部２２ａを備えている。第１特別図柄表示部２２ａは、１種類又は複数種類の第１特別図柄を表示可能に構成されている。第１特別図柄表示部２２ａは、所定の図柄を変動表示させ、最終的に第１特別図柄を確定停止表示させる第１特別図柄変動ゲーム（第１変動ゲーム）を実行可能である。以下の説明では、「第１特別図柄変動ゲーム」を略して「第１特別ゲーム」と示す場合がある。
【００１８】
情報表示装置２２は、第２特別図柄表示部２２ｂを備えている。第２特別図柄表示部２２ｂは、１種類又は複数種類の第２特別図柄を表示可能に構成されている。第２特別図柄表示部２２ｂは、所定の図柄を変動表示させ、最終的に第２特別図柄を確定停止表示させる第２特別図柄変動ゲーム（第２変動ゲーム）を実行可能である。以下の説明では、「第２特別図柄変動ゲーム」を略して「第２特別ゲーム」と示す場合がある。
【００１９】
また、以下の説明では、第１特別図柄変動ゲームと第２特別図柄変動ゲームとを区別しない場合、これらを纏めて「特別図柄変動ゲーム（図柄変動ゲーム）」と示し、特別図柄変動ゲームを「特別ゲーム」と示す場合がある。第１特別図柄及び第２特別図柄は、パチンコ遊技機１０において内部的に実行される抽選（後述する大当り抽選）の結果を報知するための図柄である。
【００２０】
本明細書において「変動表示」とは、表示されている図柄の種類が時間の経過とともに変化している状態を意味している。本明細書において「確定停止表示」とは、図柄が確定的に停止表示されており、表示されている図柄の種類が変化しない状態を意味している。本明細書においては、図柄について「確定停止表示」と「導出」とは同じ意味である。第１特別図柄表示部２２ａ、第２特別図柄表示部２２ｂにおいて導出可能な特別図柄には、それぞれ大当り表示結果としての大当り図柄と、はずれ表示結果としてのはずれ図柄とがある。特別ゲームにおいて、大当り図柄が導出された場合、遊技者により大当りとなることが認識可能である。特別ゲームにおいて、はずれ図柄が導出された場合、遊技者によりはずれとなることが認識可能である。
【００２１】
本実施形態において、第１特別ゲーム及び第２特別ゲームは、同時に実行されない。本実施形態において、第２特別ゲームは、第１特別ゲームに優先して実行される。本実施形態では、大当り抽選に当選した場合、特別ゲームにおいて大当り図柄が導出され、該特別ゲームの終了後、大当り遊技が付与される。つまり、大当り遊技は、大当り抽選に当選したことを条件として付与される遊技であり、特別ゲームで大当り表示結果が表示された後に付与される遊技である。詳しくは後述するが、大当り遊技は、多数の賞球が獲得できる遊技であるため、遊技者にとって有利な遊技（状態）である。
【００２２】
情報表示装置２２は、第１特別保留表示部２２ｃを備えている。第１特別保留表示部２２ｃは、保留条件が成立したが未だ実行条件が成立していないことで、その実行が保留されている第１特別ゲームの回数を認識可能な情報を表示する。以下の説明では、保留中の第１特別ゲームの回数を「第１特別保留数」（第１保留ゲーム数）と示す。情報表示装置２２は、第２特別保留表示部２２ｄを備えている。第２特別保留表示部２２ｄは、保留条件が成立したが未だ実行条件が成立していないことで、その実行が保留されている第２特別ゲームの回数を認識可能な情報を表示する。以下の説明では、保留中の第２特別ゲームの回数を「第２特別保留数」（第２保留ゲーム数）と示す。例えば、第１特別保留数及び第２特別保留数の最大値は、それぞれ「４」である。
【００２３】
情報表示装置２２は、普通図柄表示部２２ｅを備えている。普通図柄表示部２２ｅは、１種類又は複数種類の普通図柄を表示可能に構成されている。普通図柄表示部２２ｅは、所定の図柄を変動表示させ、最終的に普通図柄を確定停止表示させる普通図柄変動ゲーム（普通変動ゲーム）を実行可能である。以下の説明では、普通図柄変動ゲームを略して「普通ゲーム」と示す。普通図柄表示部２２ｅに導出可能な普通図柄には、普通当り図柄と、普通はずれ図柄とがある。普通ゲームにおいて普通当り図柄が導出された場合、遊技者により普通当りとなることが認識可能となる。普通ゲームにおいて、普通はずれ図柄が導出された場合、遊技者により普通はずれとなることが認識可能となる。本実施形態では、普通図柄の当り抽選に当選すると、普通ゲームにおいて普通当り図柄が導出され、該普通ゲームの終了後、普通当り遊技が付与される。詳しくは後述するが、普通当り遊技は、第２特別ゲームの保留条件を成立させ易くなることから、遊技者にとって有利な状態である。
【００２４】
情報表示装置２２は、普通保留表示部２２ｆを備えている。普通保留表示部２２ｆは、保留条件が成立したが未だ実行条件が成立していないことで、その実行が保留されている普通ゲームの回数（普通保留ゲーム数）を認識可能な情報を表示する。例えば、普通保留数の最大値は、「４」である。
【００２５】
次に、遊技盤２０について説明する。
遊技盤２０は、その遊技盤２０の表面側（前面側）をレールによって略円形に区画することによって、遊技領域２１が形成されている。また、パチンコ遊技機１０は、遊技領域２１の略中央に、各種の装飾が施されたセンター枠２６を備えている。センター枠２６は、開口部２６ａを備えている。なお、センター枠２６は、センター役物と表現してもよい。
【００２６】
パチンコ遊技機１０は、演出実行手段及び表示手段としての演出表示装置２７を備えている。演出表示装置２７は、画像が表示される表示領域２７ｒを備えている。演出表示装置２７は、センター枠２６の開口部２６ａを介して、遊技者により表示領域２７ｒを視認可能となるように、遊技盤２０に組み付けられている。演出表示装置２７は、演出の１つとして、所定のキャラクタや文字を模した画像（絵柄）を表示する演出（以下、表示演出と示す）を実行する。
【００２７】
本実施形態において、演出表示装置２７が実行可能な表示演出には、演出図柄を複数列で変動表示させるとともに、最終的に演出図柄の組み合わせを導出させる演出図柄変動ゲームがある。以下の説明では、演出図柄変動ゲームを略して「演出ゲーム」と示す。演出図柄は、キャラクタや模様等の装飾が施された図柄（飾り図柄）であって、表示演出を多様化させるためのものである。本実施形態において、演出ゲームは、第１列、第２列、及び第３列の図柄列をそれぞれ所定の方向に変動表示（スクロール表示）させて行われる。
【００２８】
演出ゲームは、特別ゲームの開始に伴って開始され、特別ゲームの終了に伴って終了される。そして、演出ゲームでは、特別ゲームにて導出された特別図柄に応じた演出図柄の組み合わせが導出される。特別ゲームにおいて、大当り図柄が導出される場合には、演出ゲームにおいて、演出図柄による大当りの図柄組み合わせが導出される。例えば、演出図柄による大当りの図柄組み合わせは、「３３３」や「７７７」などのように、全列の演出図柄が同一となる図柄組み合わせである。特別ゲームにおいて、はずれ図柄が導出される場合には、演出ゲームにおいて、演出図柄によるはずれの図柄組み合わせが導出される。例えば、演出図柄によるはずれの図柄組み合わせは、「７８７」や「５５６」などのように、少なくとも一部列の演出図柄が他列の演出図柄とは異なる図柄組み合わせである。なお、演出ゲームにおいては、演出図柄が確定停止表示される前に一旦停止表示されてもよい。本明細書において「一旦停止表示」とは、演出図柄が確定停止表示される前の仮停止状態であり、例えば、演出図柄がゆれ変動表示されている状態である。
【００２９】
演出ゲームは、リーチを形成して行うリーチ演出を含む場合がある。リーチは、複数列のうち特定列（本実施形態では第１列と第３列）に同一の演出図柄が一旦停止表示されており、且つ特定列とは異なる列（本実施形態では第２列）の演出図柄が引き続き変動表示されている状態である。例えば、リーチ演出には、登場させるキャラクタや演出図柄の動作が異なる複数種類のリーチ演出があってもよい。
【００３０】
パチンコ遊技機１０は、センター枠２６の下方において、遊技領域２１に開口している第１始動口２８を備えている。第１始動口２８は、常時、遊技球を入球させることができるように開口されている。第１始動口２８は、遊技球が入球可能である。パチンコ遊技機１０は、第１始動口２８に入球した遊技球を検知する第１始動センサＳＥ１を備えている。例えば、第１始動センサＳＥ１は、第１始動口２８に入球した遊技球が通過する通路に設けられている。本実施形態では、第１始動センサＳＥ１で遊技球が検知されると、第１特別ゲームの保留条件（第１保留条件）が成立し得るとともに、賞球の払出条件が成立する。このように、第１始動センサＳＥ１は、第１始動口２８への遊技球の入球（第１始動口２８へ入球した遊技球）を検知する。また、第１特別ゲームは、第１始動口２８に遊技球が入球したときに実行される場合がある（実行可能である）。
【００３１】
パチンコ遊技機１０は、センター枠２６の下方において、遊技領域２１に開口している第２始動口２９を備えている。第２始動口２９は、遊技球が入球可能である。パチンコ遊技機１０は、第２始動口２９に入球した遊技球を検知する第２始動センサＳＥ２を備えている。例えば、第２始動センサＳＥ２は、第２始動口２９に入球した遊技球が通過する通路に設けられている。本実施形態では、第２始動センサＳＥ２で遊技球が検知されると、第２特別ゲームの保留条件（第２保留条件）が成立し得るとともに、賞球の払出条件が成立する。このように、第２始動センサＳＥ２は、第２始動口２９への遊技球の入球（第２始動口２９へ入球した遊技球）を検知する。また、第２特別ゲームは、第２始動口２９に遊技球が入球したときに実行される場合がある（実行可能である）。
【００３２】
パチンコ遊技機１０は、遊技領域２１において、許容状態（開状態）と、規制状態（閉状態）と、に動作が可能な普通可変部材３０を備えている。許容状態は、遊技球を第２始動口２９へ入球させることができる、又は入球させ易い状態である。規制状態は、遊技球を第２始動口２９へ入球させることができない、又は入球させ難い状態である。パチンコ遊技機１０は、普通可変部材３０を動作させる普通アクチュエータＡ１を備えている（図４に示す）。普通可変部材３０は、普通当り遊技において、許容状態に動作される。このように、普通可変部材３０は、第２始動口２９が許容状態と規制状態とを取り得るように動作する。
【００３３】
パチンコ遊技機１０は、センター枠２６の右下方において、遊技領域２１に開口している大入賞口３１を備えている。パチンコ遊技機１０は、大入賞口３１に入球した遊技球を検知する特別入賞センサＳＥ３を備えている。例えば、特別入賞センサＳＥ３は、大入賞口３１に入球した遊技球が通過する通路に設けられている。本実施形態では、特別入賞センサＳＥ３で遊技球が検知されると、賞球の払出条件が成立する。
【００３４】
パチンコ遊技機１０は、遊技領域２１において、許容状態（開状態）と、規制状態（閉状態）と、に動作が可能な特別可変部材３２を備えている。許容状態は、遊技球を大入賞口３１へ入球させることができる、又は入球させ易い状態である。規制状態は、遊技球を大入賞口３１へ入球させることができない、又は入球させ難い状態である。パチンコ遊技機１０は、特別可変部材３２を動作させる特別アクチュエータＡ２を備えている（図４に示す）。特別可変部材３２は、大当り遊技において、許容状態に動作される。このように、特別可変部材３２は、大入賞口３１が許容状態と規制状態とを取り得るように動作する。つまり、大当り遊技は、大入賞口３１が許容状態となる（許容状態にする）遊技である。
【００３５】
パチンコ遊技機１０は、遊技領域２１のうち、センター枠２６の右方に、遊技球が通過（入球）可能なゲート３３を備えている。普通始動入球口としてのゲート３３は、遊技球が入球可能であり、ゲート３３を通過する遊技球を検知するゲートセンサＳＥ４を備えている（図４に示す）。本実施形態では、ゲートセンサＳＥ４で遊技球が検知されると、普通ゲームの保留条件が成立し得る。
【００３６】
パチンコ遊技機１０は、センター枠２６の右方において、遊技領域２１に開口している一般入賞口３４を備えている。パチンコ遊技機１０は、一般入賞口３４に入球した遊技球を検知する一般入賞センサＳＥ５を備えている（図４に示す）。例えば、一般入賞センサＳＥ５は、一般入賞口３４に入球した遊技球が通過する図示しない通路に設けられている。本実施形態では、一般入賞センサＳＥ５で遊技球が検知されると、賞球の払出条件が成立する。なお、パチンコ遊技機１０は、複数の一般入賞口を備えていてもよい。
【００３７】
本実施形態のパチンコ遊技機１０は、入賞口として、第１始動口２８、第２始動口２９、大入賞口３１、及び一般入賞口３４を備えている。なお、パチンコ遊技機１０は、上記入賞口とは異なる入賞口を備えていてもよい。「入賞」は、遊技球が入賞口に入球することである。また、パチンコ遊技機１０は、釘や風車など、遊技領域２１を流下する遊技球の挙動に変化を与えるための部材を備えている。
【００３８】
次に、パチンコ遊技機１０の遊技状態について説明する。
パチンコ遊技機１０は、大当り確率が異なる遊技状態として、低確率状態と高確率状態とを備えている。大当り確率は、大当り抽選において大当りに当選する確率である。高確率状態は、低確率状態に比して、大当り確率が高い遊技状態である。高確率状態では、大当り抽選に当選する可能性が低確率状態に比して高まることから、遊技者にとって有利な遊技状態となる。高確率状態は、所謂「確率変動状態（確変状態）」である。
【００３９】
パチンコ遊技機１０は、遊技球の発射数に対する賞球数の割合が異なる遊技状態として、低ベース状態と高ベース状態とを備えている。高ベース状態は、低ベース状態に比して、第２始動口２９に遊技球が入球する確率が高い遊技状態である。高ベース状態は、所謂「電サポ状態」であり、低ベース状態は、所謂「非電サポ状態」である。高ベース状態では、第２始動口２９に遊技球が入球する確率が高まり、第２始動口２９への遊技球の入球が容易になることから、遊技者にとって有利な遊技状態（入球容易状態、入球率向上状態）となる。
【００４０】
例えば、高ベース状態は、次に説明する３つの制御のうち任意に選択された１の制御を行うことにより、又は複数の制御を組み合わせて行うことにより実現できる。第１の制御は、普通ゲームの変動時間を、低ベース状態のときよりも短くする普通図柄の変動時間短縮制御である。第２の制御は、普通図柄の当り抽選に当選する確率（普通当り確率）を、低ベース状態のときよりも高確率に変動させる普通図柄の確率変動制御である。第３の制御は、１回の普通当り遊技における普通可変部材３０の合計開放時間を、低ベース状態のときよりも長くする開放時間延長制御である。なお、開放時間延長制御としては、１回の普通当り遊技における普通可変部材３０の開放回数を、低ベース状態のときよりも多くする制御、及び普通当り遊技における普通可変部材３０の１回の開放時間を、低ベース状態のときよりも長くする制御のうち、少なくとも一方の制御を行うとよい。
【００４１】
本実施形態では、低ベース状態における普通当り確率は０を超えている。このため、普通可変部材３０は、低ベース状態において、許容状態に動作され得る。なお、低ベース状態における普通当り確率は０であってもよい。この場合、普通可変部材３０は、低ベース状態において、許容状態に動作されない。つまり、低ベース状態は、高ベース状態と比べて第２始動口２９に遊技球が入球し難い又は第２始動口２９に遊技球が入球しない状態であるといえる。
【００４２】
また、高ベース状態は、次に説明する第４の制御を組み合わせて実現してもよい。第４の制御は、特別ゲームの変動時間（例えば平均の変動時間）を、低ベース状態のときよりも短くする特別図柄の変動時間短縮制御である。特別図柄の変動時間短縮制御を行う場合、高ベース状態は、特別図柄についての、所謂「変動時間短縮状態」となる。これに対して、低ベース状態は、特別図柄についての、所謂「非変動時間短縮状態」となる。
【００４３】
以下の説明では、低確率状態且つ低ベース状態である遊技状態を「低確低ベース状態」と示し、高確率状態且つ低ベース状態である遊技状態を「高確低ベース状態」と示す。また、低確率状態且つ高ベース状態である遊技状態を「低確高ベース状態」と示し、高確率状態且つ高ベース状態である遊技状態を「高確高ベース状態」と示す。
【００４４】
このように、本実施形態において、遊技状態には、低確率状態及び高確率状態と、高ベース状態（入球率向上状態）及び低ベース状態（非入球率向上状態）とがある。
次に、本実施形態に特徴的な設定変更機能について説明する。
【００４５】
図２に示すように、本実施形態のパチンコ遊技機１０では、複数種類の設定値（設定情報）として大当り確率を設定可能である。具体的に言えば、本実施形態のパチンコ遊技機１０では、複数種類の設定値として第１設定値から第６設定値までの全６段階にわたって大当り確率を設定可能である。以下の説明では、「第ｎ設定値が設定されている」ことを、単に［設定ｎ］と示す場合がある（但し、ｎ＝１〜６）。
【００４６】
各設定（設定１〜設定６）の大当り確率Ｋ１〜Ｋ６は、大当り確率Ｋ１＜Ｋ２＜Ｋ３＜Ｋ４＜Ｋ５＜Ｋ６の順に高確率であり、大当りに当選し易くなっている。大当り確率Ｋ１〜Ｋ６は、低確率状態であるときの大当り確率と、高確率状態であるときの大当り確率とをセットにしたものである。つまり、複数種類の設定値には、低確率状態における大当り確率と、高確率状態における大当り確率とが定められている。以上のように、本実施形態のパチンコ遊技機１０では、設定値に応じて大当り確率が変化する。また、高確率状態に制御されている場合における大当り確率（大当り抽選の当選確率）と、低確率状態に制御されている場合における大当り確率とは、現状の設定値に応じて異なることとなる。なお、設定値は、６段階である必要はなく、２段階から５段階、及び７段階以上のうち何れであってもよい。
【００４７】
図３に示すように、本実施形態のパチンコ遊技機１０では、設定器４０ｅ（図４に示す）の設定操作部（図示せず）をオン状態に操作した状態であって、且つＲＷＭクリアスイッチ４０ｄ（図４に示す）をオン状態に操作した状態にて電源投入されると、設定変更モードへ移行する。
【００４８】
設定変更モードでは、内部的に設定された（設定されている）設定値が報知され、ＲＷＭクリアスイッチ４０ｄの操作毎に、内部的に設定された設定値を、［設定１］→［設定２］→…→［設定５］→［設定６］→［設定１］→…というように、ループするように変更できる。また、設定変更モードは、設定器４０ｅの設定操作部をオフ状態に操作すると終了する。
【００４９】
また、ＲＷＭクリアスイッチ４０ｄをオン状態に操作した状態にて電源投入されると、バックアップされている各種情報が初期化されることから、設定変更モードへ移行したときには、バックアップされている各種情報が初期化されるように構成されている。
【００５０】
本実施形態のパチンコ遊技機１０では、設定器４０ｅの設定操作部をオン状態に操作した状態であって、ＲＷＭクリアスイッチ４０ｄがオフ状態である状態にて電源投入されると、設定確認モードへ移行する。
【００５１】
設定確認モードでは、内部的に設定された設定値が報知され、ＲＷＭクリアスイッチ４０ｄを操作しても、内部的に設定された設定値を変更できない。設定確認モードは、設定器４０ｅの設定操作部をオフ状態に操作すると終了する。
【００５２】
次に、パチンコ遊技機１０における大当りについて説明する。
本実施形態のパチンコ遊技機１０は、特別図柄の大当り図柄として、複数種類の大当り図柄を備えている。複数種類の大当り図柄には、それぞれ大当りの種類が定められている。複数種類の大当り図柄（大当りの種類）には、それぞれ大当り遊技の種類が定められている。
【００５３】
大当り遊技では、最初に、予め定めたオープニング時間にわたって、大当り遊技の開始を報知するオープニング演出が行われる。大当り遊技では、オープニング時間の経過後に、大入賞口３１を開放する複数回のラウンド遊技が行われる。ラウンド遊技は、上限回数を上限として行われる。本実施形態において、上限回数は、予め定めた回数である。
【００５４】
１回のラウンド遊技は、予め定めた上限数（本実施形態では「９」）の遊技球が大入賞口３１に入球する第１終了条件、又は予め定めた上限時間が経過する第２終了条件が成立することによって終了される。つまり、複数回のラウンド遊技のそれぞれが終了する終了条件には、大入賞口３１に入球した遊技球の入球数が上限数となる第１終了条件と、大入賞口３１に入球した遊技球の入球数が上限数とならずに予め定めた上限時間が経過する第２終了条件とがある。ラウンド遊技において、大入賞口３１は、所定の開放態様で開放され、詳しくは、ラウンド遊技の開始を契機として開状態を取り、ラウンド遊技の終了を契機として閉状態を取る。ラウンド遊技では、ラウンド演出が行われる。このように、特別可変部材３２は、複数回のラウンド遊技のそれぞれにおいて大入賞口３１が開状態を取り得るように動作することとなり、各ラウンド遊技が開始する開始条件が成立すると大入賞口３１が開状態を取り、各ラウンド遊技が終了する終了条件が成立すると大入賞口３１が閉状態を取ることとなる。そして、大当り遊技では、最終回のラウンド遊技が終了すると、予め定めたエンディング時間にわたって、大当り遊技の終了を報知するエンディング演出が行われる。大当り遊技は、エンディング時間の経過に伴って終了される。
【００５５】
次に、パチンコ遊技機１０における具体的な大当りについて説明する。
本実施形態において、第１特別ゲームのゲーム結果として第１特別図柄表示部２２ａに表示される１００種類の大当り図柄のうち、６５種類の大当り図柄が図柄ＺＡに、３５種類の大当り図柄が図柄ＺＢにそれぞれ分類されている。また、第２特別ゲームのゲーム結果として第２特別図柄表示部２２ｂに表示される１００種類の大当り図柄のうち、６５種類の大当り図柄が図柄Ｚａに、３５種類の大当り図柄が図柄Ｚｂにそれぞれ分類されている。このように、本実施形態において、第１特別ゲームの大当りの種類としては２種類の大当りがあり、第２特別ゲームの大当りの種類としては２種類の大当りがあるが、これに限らない。以下、大当りの種類としては、大当り図柄の種類を用いて、図柄ＺＡ，ＺＢ，Ｚａ，Ｚｂに基づく大当りと表現する。また、大当りの種類に基づいて付与される大当り遊技の種類としても、大当り図柄の種類を用いて、図柄ＺＡ，ＺＢ，Ｚａ，Ｚｂに基づく大当り遊技と表現する。
【００５６】
図柄ＺＡ，Ｚａに基づく大当り遊技としては、ラウンド遊技の上限回数として１０回が定められている。図柄ＺＢ，Ｚｂに基づく大当り遊技としては、ラウンド遊技の上限回数として１０回よりも少ない４回が定められている。
【００５７】
本実施形態において、各大当り遊技としては、ラウンド遊技の上限時間としては２５ｓが規定されている。なお、本実施形態において、複数回のラウンド遊技のそれぞれには、ラウンド遊技の終了後にラウンド間インターバル時間（本実施形態では２．５ｓ）が設定（規定）されており、ラウンド間インターバル時間が経過すると、次のラウンド遊技が開始される、又は、エンディング時間が開始されることとなる。また、本実施形態において、全ての種類の大当り遊技としては、同じオープニング時間（本実施形態では１０ｓ）、同じエンディング時間（本実施形態では２５ｓ）がそれぞれ定められている。
【００５８】
大当り図柄ＺＡ、Ｚａには、大当り遊技終了後の遊技状態として、高確率状態と、高ベース状態と、が定められている。大当り図柄ＺＡ、Ｚａに基づく大当り遊技終了後には、次回の大当り遊技が付与される迄の間、高確率状態と、高ベース状態と、が付与される。大当り図柄ＺＢ，Ｚｂには、大当り遊技終了後の遊技状態として、低確率状態と、高ベース状態と、が定められている。大当り図柄ＺＢ，Ｚｂに基づく大当り遊技終了後には、低確率状態が付与されるとともに、予め定められた上限回数（本実施形態では１００回）の特別ゲームが終了される迄の間、又は上限回数の特別ゲームが終了される前に大当り遊技が付与される迄の間、高ベース状態が付与される。
【００５９】
なお、本実施形態において、大当り確率としては、図２に示すような確率がそれぞれ定められている。普通当り確率としては、低ベース状態では１／６５５３６が、高ベース状態では６５５３４／６５５３５がそれぞれ定められている。１回の普通当り遊技における普通可変部材３０の合計開放時間としては、低ベース状態では３９６ｍｓが、高ベース状態では５６８０ｍｓがそれぞれ定められている。賞球数としては、第１始動センサＳＥ１で遊技球が検知されたときには「４」が、第２始動センサＳＥ２で遊技球が検知されたときには「１」が、特別入賞センサＳＥ３で遊技球が検知されたときには「１５」が、一般入賞センサＳＥ５で遊技球が検知されたときには「５」がそれぞれ定められている。
【００６０】
次に、パチンコ遊技機１０の電気的構成について説明する。
図４に示すように、パチンコ遊技機１０は、遊技盤２０の裏側（後方）に主制御基板４０を備えている。第１制御部としての主制御基板４０は、各種の処理を行い、該処理の結果に応じて制御信号（制御コマンド）を出力する。
【００６１】
また、パチンコ遊技機１０は、遊技盤２０の裏側（後方）に副制御基板４１を備えている。第２制御部としての副制御基板４１は、主制御基板４０から入力した制御信号に基づいて所定の処理を実行する。例えば、副制御基板４１は、装飾ランプ１７による発光演出、スピーカ１８による音声演出、及び演出表示装置２７による表示演出を実行させるための処理を行う。
【００６２】
また、パチンコ遊技機１０は、遊技盤２０の裏側（後方）に電源ユニット６０を備えている。電源ユニット６０は、電源スイッチ６０ａがオン状態に切り替える操作が行われることによって、各制御基板４０，４１に電力供給を行うユニットである。
【００６３】
なお、本実施形態のパチンコ遊技機１０は、バックアップ機能を搭載している。バックアップ機能は、外部電源からの電力供給が停止した場合でも遊技制御に関する各種情報を内部的に保持（バックアップ）しておき、電力供給が開始されたときに、保持している各種情報に基づいて遊技制御を復帰する機能である。また、本実施形態において、主制御基板４０がバックアップ機能を搭載しており、副制御基板４１は、バックアップ機能を搭載していない。
【００６４】
まず、主制御基板４０について説明する。
主制御基板４０は、主制御ＣＰＵ４０ａと、主制御ＲＯＭ４０ｂと、主制御ＲＡＭ４０ｃと、ＲＷＭクリアスイッチ４０ｄと、設定器４０ｅと、表示器４０ｆとを備えている。第１制御手段としての主制御ＣＰＵ４０ａは、主制御プログラムを実行することにより、各種の処理を行う。
【００６５】
主制御ＲＯＭ４０ｂは、主制御プログラムや、所定の抽選に用いられるテーブルや判定値などを記憶している。また、主制御ＲＯＭ４０ｂは、複数種類の変動パターンを記憶している。変動パターンは、特別ゲームが開始されてからその特別ゲームが終了される迄の変動時間を特定可能な情報である。また、本実施形態において、変動パターンは、例えば、リーチ演出の種類など、特別ゲームが開始されてからその特別ゲームが終了される迄の間に行われる演出ゲームの演出内容（演出態様）を特定可能な情報である。なお、例えば、変動パターンは、特別ゲームが開始されてからその特別ゲームが終了される迄の変動時間を特定可能な情報であれば、特別ゲームが開始されてからその特別ゲームが終了される迄の間に行われる演出ゲームの演出内容を特定可能な情報でなくてもよい。
【００６６】
変動パターンには、大当り変動パターンと、はずれリーチ変動パターンと、はずれ変動パターンとがある。大当り変動パターンには、演出ゲームの演出内容として、リーチ演出を経て最終的に大当りの図柄組み合わせを導出させる演出内容が定められている。はずれリーチ変動パターンには、演出ゲームの演出内容として、リーチ演出を経て、最終的にはずれの図柄組み合わせを導出させる演出内容が定められている。はずれ変動パターンには、演出ゲームの演出内容として、リーチ演出を経ないで、最終的にはずれの図柄組み合わせを導出させる演出内容が定められている。
【００６７】
主制御ＲＡＭ４０ｃは、パチンコ遊技機１０の動作中に書き換えられる様々な情報を記憶可能に構成されている。主制御ＲＡＭ４０ｃが記憶する情報は、例えばフラグ、カウンタ、及びタイマなどである。また、主制御基板４０は、乱数を生成可能に構成されている。例えば、乱数は、ハードウェア乱数として生成してもよく、ソフトウェア乱数として生成してもよい。
【００６８】
主制御ＣＰＵ４０ａと、センサＳＥ１〜ＳＥ５とは、接続されている。主制御ＣＰＵ４０ａは、センサＳＥ１〜ＳＥ５が遊技球を検知した際に出力する検知信号を入力可能に構成されている。
【００６９】
主制御ＣＰＵ４０ａと、アクチュエータＡ１，Ａ２とは、接続されている。主制御ＣＰＵ４０ａは、アクチュエータＡ１，Ａ２の動作を制御可能に構成されている。主制御ＣＰＵ４０ａと、情報表示装置２２とは、接続されている。主制御ＣＰＵ４０ａは、情報表示装置２２の表示内容を制御可能に構成されている。
【００７０】
なお、本実施形態のパチンコ遊技機１０において、主制御ＲＡＭ４０ｃは、電源断がされても、電源断がされたときに記憶している各種情報を保持可能に構成されている。例えば、主制御ＲＡＭ４０ｃは、電源ユニット６０に搭載された図示しないバックアップ用電源（例えば電気二重層コンデンサ）から供給される電力によって、電源断がされた後にも各種情報を保持するとよい。例えば、主制御ＲＡＭ４０ｃは、電力の供給を受けない状態であっても記憶内容を保持可能な不揮発性メモリであることにより、電源断がされた後にも各種情報を保持するようになっていてもよい。主制御ＣＰＵ４０ａは、これらの各種情報を主制御ＲＡＭ４０ｃに記憶させる制御を行う。
【００７１】
ここで、バックアップの対象となる各種情報には、遊技の進行に関する遊技情報と、設定値に関する設定値情報とが含まれている。例えば、遊技情報には、特別ゲームに関する情報、大当り遊技に関する情報、遊技状態に関する情報、及び賞球の払出しに関する情報が含まれている。
【００７２】
ＲＷＭクリアスイッチ４０ｄは、バックアップされている各種情報の初期化を指示する操作を可能に構成されている。本実施形態では、ＲＷＭクリアスイッチ４０ｄがオン状態であるときに電源投入されることにより、バックアップされている各種情報が初期化される。以下、ＲＷＭクリアスイッチ４０ｄをオン状態であるときに電源投入される操作を、初期化操作として説明する。
【００７３】
設定器４０ｅは、設定値に関する制御を行う設定制御状態としての設定制御モードへの移行を指示する操作を可能に構成されている。なお、本実施形態において、設定制御モードとしては、内部的に設定された設定値を変更可能な設定変更モードと、内部的に設定された設定値を変更不能であるが設定値を特定可能に表示する設定確認モードとがある。本実施形態では、設定器４０ｅの設定操作部（図示せず）がオン状態であって、ＲＷＭクリアスイッチ４０ｄがオン状態であるときに電源投入されることにより、設定変更モードに移行し、設定器４０ｅの設定操作部がオン状態であって、ＲＷＭクリアスイッチ４０ｄがオフ状態であるときに電源投入されることにより、設定確認モードに移行する。
【００７４】
表示器４０ｆは、本実施形態において、内部的に設定された設定値を報知する表示を行うが、これに限らず、別の情報の表示を行ってもよい。
次に、副制御基板４１について説明する。
【００７５】
副制御基板４１と、主制御基板４０とは、接続されている。パチンコ遊技機１０では、主制御基板４０から副制御基板４１への一方向に制御信号を出力可能に構成されている。
副制御基板４１は、副制御ＣＰＵ４１ａと、副制御ＲＯＭ４１ｂと、副制御ＲＡＭ４１ｃと、を備えている。第２制御手段としての副制御ＣＰＵ４１ａは、副制御プログラムを実行することにより、各種の処理（例えば、演出に関する処理）を行う。副制御ＲＯＭ４１ｂは、副制御プログラムや、抽選に用いられるテーブルや判定値などを記憶している。副制御ＲＯＭ４１ｂは、演出表示装置２７における表示演出に関する表示演出データを記憶している。副制御ＲＯＭ４１ｂは、装飾ランプ１７における発光演出に関する発光演出データを記憶している。副制御ＲＯＭ４１ｂは、スピーカ１８における音声演出に関する音声演出データを記憶している。
【００７６】
副制御ＲＡＭ４１ｃは、パチンコ遊技機１０の動作中に適宜書き換えられる様々な情報を記憶可能に構成されている。副制御ＲＡＭ４１ｃが記憶する情報は、例えばフラグ、カウンタ、及びタイマなどである。また、副制御基板４１は、乱数を生成可能に構成されている。例えば、乱数は、ハードウェア乱数として生成してもよく、ソフトウェア乱数として生成してもよい。
【００７７】
副制御ＣＰＵ４１ａと、演出表示装置２７とは、接続されている。副制御ＣＰＵ４１ａは、演出表示装置２７の表示態様を制御可能に構成されている。副制御ＣＰＵ４１ａと、装飾ランプ１７とは、接続されている。副制御ＣＰＵ４１ａは、装飾ランプ１７の発光態様を制御可能に構成されている。副制御ＣＰＵ４１ａと、スピーカ１８とは、接続されている。副制御ＣＰＵ４１ａは、スピーカ１８の出力態様を制御可能に構成されている。副制御ＣＰＵ４１ａと、操作ボタン１９とは、接続されている。副制御ＣＰＵ４１ａは、操作ボタン１９が操作されたことを示す操作信号を入力可能に構成されている。
【００７８】
次に、電源ユニット６０について説明する。
電源ユニット６０は、遊技場などの外部電源から供給される電源電圧を各制御基板４０，４１へ供給すべき電源電圧に変換する。電源ユニット６０は、電源供給線を介して各制御基板４０，４１と接続されており、電源供給線を通じて各制御基板４０，４１に電力供給する。
【００７９】
電源ユニット６０は、電源スイッチ６０ａを備えており、外部電源からパチンコ遊技機１０へ電力が供給されている状態において、電源スイッチ６０ａをオフ状態からオン状態に操作にすると、各制御基板４０，４１に電力が供給され、さらにオフ状態に操作すると各制御基板４０，４１への電力供給が遮断される。
【００８０】
次に、パチンコ遊技機１０において行われる各種の処理について説明する。
最初に、主制御ＣＰＵ４０ａが行う電源投入処理について説明する。
主制御ＣＰＵ４０ａは、電源投入時の起動処理（ブート処理）によって起動すると、最初に電源投入処理を行う。電源投入処理では、電源投入時のＲＷＭクリアスイッチ４０ｄ及び設定器４０ｅの設定操作部の操作状態に応じて、設定制御モード（設定変更モード及び設定確認モード）への移行の有無、及び主制御ＲＡＭ４０ｃの初期化の有無が制御される。
【００８１】
まず、主制御ＣＰＵ４０ａは、電源投入時にＲＷＭクリアスイッチ４０ｄがオン状態に操作されたかを判定する。主制御ＣＰＵ４０ａは、ＲＷＭクリアスイッチ４０ｄがオン状態に操作されたときに出力される操作信号を入力した場合に、ＲＷＭクリアスイッチ４０ｄがオン状態に操作されたと判定する。
【００８２】
電源投入時にＲＷＭクリアスイッチ４０ｄがオン状態に操作されたと判定した場合、主制御ＣＰＵ４０ａは、主制御ＲＡＭ４０ｃのＲＷＭクリア処理を行う。主制御ＲＡＭ４０ｃのＲＷＭクリア処理において、主制御ＣＰＵ４０ａは、主制御ＲＡＭ４０ｃにバックアップされている遊技情報を初期化する一方で、主制御ＲＡＭ４０ｃにバックアップされている設定値情報を初期化しない。このように、本実施形態において、主制御ＣＰＵ４０ａは、電源投入された場合にＲＷＭクリアスイッチ４０ｄがオン状態に操作されたとき（初期化操作が行われたとき）には、主制御ＲＡＭ４０ｃに記憶させた遊技情報を初期化する。
【００８３】
主制御ＲＡＭ４０ｃのＲＷＭクリア処理を行った後、主制御ＣＰＵ４０ａは、電源投入時に設定器４０ｅがオン状態に操作されたかを判定する。主制御ＣＰＵ４０ａは、設定器４０ｅがオン状態に操作されたときに出力される操作信号を入力した場合に、設定器４０ｅがオン状態に操作されたと判定する。
【００８４】
電源投入時に設定器４０ｅがオン状態に操作されたと判定しない場合（電源投入時に設定器４０ｅがオフ状態に操作されたと判定した場合）、主制御ＣＰＵ４０ａは、主制御ＲＡＭ４０ｃに割り当てられた主設定値フラグに記憶されている設定値を読み出すとともに、読み出した設定値を特定可能な設定値コマンドを出力バッファに設定する。本実施形態において、出力バッファに設定された情報（制御コマンド）は、割り込み処理として行われるコマンド出力処理において副制御基板４１へと出力される。この設定値コマンドにより特定される設定値は、電源断がされたときの設定値であり、バックアップされていた設定値でもある。
【００８５】
主制御ＣＰＵ４０ａは、設定値コマンドを副制御基板４１に出力すると、初期化による起動を指定する情報（以下、「電源投入初期時コマンド」と示す）を出力バッファに設定し、電源投入処理を終了する。
【００８６】
その一方で、電源投入時に設定器４０ｅがオン状態に操作されたと判定した場合、主制御ＣＰＵ４０ａは、設定変更制御処理を行う。設定変更制御処理において、主制御ＣＰＵ４０ａは、設定変更モードへ移行する。主制御ＣＰＵ４０ａは、設定変更モードへ移行すると、設定変更モードの開始を特定可能な情報（以下、「変更開始コマンド」と示す）を出力バッファに設定する。
【００８７】
また、主制御ＣＰＵ４０ａは、設定変更モードへ移行すると、主制御ＲＡＭ４０ｃに割り当てられた主設定値フラグに記憶されている設定値を読み出すとともに、読み出した設定値を報知する表示を行うように表示器４０ｆを制御する。即ち、表示器４０ｆでは、電源断がされたときの設定値が報知される。また、上記主設定値フラグは、設定された設定値を主制御ＣＰＵ４０ａが特定するためのフラグである。そして、主制御ＣＰＵ４０ａは、読み出した設定値を特定可能な情報（以下、「電源投入時設定値コマンド」と示す）を出力バッファに設定する。
【００８８】
設定変更モードにおいて、主制御ＣＰＵ４０ａは、ＲＷＭクリアスイッチ４０ｄがオン状態に操作される毎に、設定値を、［設定１］→［設定２］→…→［設定５］→［設定６］→［設定１］→…というように、ループするように変更する。この処理において、主制御ＣＰＵ４０ａは、主設定値フラグに記憶されている設定値を更新することにより、設定値を変更する。また、主制御ＣＰＵ４０ａは、設定値を変更する毎に、変更後の設定値を報知する表示を行うように表示器４０ｆを制御する。
【００８９】
主制御ＣＰＵ４０ａは、設定変更モードにおいて、設定器４０ｅがオフ状態に操作されると（設定器４０ｅがオン状態に操作されたときに出力される操作信号が入力されなくなると）、その時点において主設定値フラグに記憶させている設定値を確定し、設定変更モードを終了する。その後、主制御ＣＰＵ４０ａは、設定変更制御処理を終了する。
【００９０】
主制御ＣＰＵ４０ａは、設定変更制御処理を終了すると、確定した設定値を特定可能な情報（以下、「設定値コマンド」と示す）を出力バッファに設定する。また、主制御ＣＰＵ４０ａは、設定変更モードの終了を特定可能な情報（以下、「変更終了コマンド」と示す）を出力バッファに設定する。
【００９１】
その後、主制御ＣＰＵ４０ａは、初期化による起動を指定する情報（以下、「電源投入初期時コマンド」と示す）を出力バッファに設定し、電源投入処理を終了する。
また、電源投入時にＲＷＭクリアスイッチ４０ｄがオン状態に操作されたと判定しない場合（電源投入時にＲＷＭクリアスイッチ４０ｄがオフ状態に操作されたと判定した場合）、主制御ＣＰＵ４０ａは、復帰処理を行う。復帰処理において、主制御ＣＰＵ４０ａは、バックアップされている各種情報が正常であるかを確認する。バックアップされている各種情報が正常であるか、異常であるかの確認は、例えばバックアップフラグの状態確認とチェックサムの一致確認によって行われる。バックアップされている各種情報が異常である場合、主制御ＣＰＵ４０ａは、主制御ＲＡＭ４０ｃのＲＷＭクリア処理を行う。バックアップされている各種情報が正常である場合、主制御ＣＰＵ４０ａは、主制御ＲＡＭ４０ｃのＲＷＭクリア処理を行わない。
【００９２】
復帰処理を行った後、主制御ＣＰＵ４０ａは、電源投入時に設定器４０ｅがオン状態に操作されたかを判定する。主制御ＣＰＵ４０ａは、設定器４０ｅがオン状態に操作されたときに出力される操作信号を入力した場合に、設定器４０ｅがオン状態に操作されたと判定する。
【００９３】
電源投入時に設定器４０ｅがオン状態に操作されたと判定していない場合（電源投入時に設定器４０ｅがオフ状態に操作されたと判定した場合）、主制御ＣＰＵ４０ａは、主制御ＲＡＭ４０ｃに割り当てられた主設定値フラグに記憶されている設定値を読み出すとともに、読み出した設定値を特定可能な設定値コマンドを出力バッファに設定する。この設定値コマンドにより特定される設定値は、電源断がされたときの設定値であり、バックアップされていた設定値でもある。
【００９４】
主制御ＣＰＵ４０ａは、設定値コマンドを出力バッファに設定すると、電源投入復電時コマンド及び図柄状態指定コマンドを出力バッファに設定し、電源投入処理を終了する。
その一方で、電源投入時に設定器４０ｅがオン状態に操作されたと判定した場合、主制御ＣＰＵ４０ａは、設定確認制御処理を行う。設定確認制御処理において、主制御ＣＰＵ４０ａは、設定確認モードへ移行する。主制御ＣＰＵ４０ａは、設定確認モードへ移行すると、設定確認モードの開始を特定可能な情報（以下、「確認開始コマンド」と示す）を出力バッファに設定する。
【００９５】
また、主制御ＣＰＵ４０ａは、設定確認モードへ移行すると、主制御ＲＡＭ４０ｃに割り当てられた主設定値フラグに記憶されている設定値を読み出すとともに、読み出した設定値を報知する表示を行うように表示器４０ｆを制御する。即ち、表示器４０ｆでは、電源断がされたときの設定値が報知される。設定確認モードにおいて、主制御ＣＰＵ４０ａは、ＲＷＭクリアスイッチ４０ｄが操作されても、設定値を変更せず、表示器４０ｆの表示内容も変化させない。
【００９６】
主制御ＣＰＵ４０ａは、設定確認モードにおいて、設定器４０ｅがオフ状態に操作されると（設定器４０ｅがオン状態に操作されたときに出力される操作信号が入力されなくなると）、設定確認モードを終了する。その後、主制御ＣＰＵ４０ａは、設定確認制御処理を終了する。
【００９７】
主制御ＣＰＵ４０ａは、設定確認制御処理を終了すると、主制御ＲＡＭ４０ｃに割り当てられた主設定値フラグに記憶されている設定値を特定可能な設定値コマンドを出力バッファに設定する。前述したように、設定確認モードにおいては設定値が変更されないため、主設定値フラグに記憶されている設定値は、電源投入されたときの設定値であり、電源断がされたときの設定値でもある。また、主制御ＣＰＵ４０ａは、設定確認モードの終了を特定可能な情報（以下、「確認終了コマンド」と示す）を出力バッファに設定する。
【００９８】
その後、主制御ＣＰＵ４０ａは、バックアップされている各種情報に基づく復帰を指定する情報（以下、「電源投入復電時コマンド」と示す）を出力バッファに設定する。また、主制御ＣＰＵ４０ａは、復帰時（電断時でもある）の制御状態を指定する情報（以下、「図柄状態指定コマンド」と示す）を出力バッファに設定し、電源投入処理を終了する。この図柄状態指定コマンドは、第１特別ゲームの実行中への復帰を行うこと、第２特別ゲームの実行中への復帰を行うこと、第１特別ゲームに基づく大当り遊技中への復帰を行うこと、及び第２特別ゲームに基づく大当り遊技中への復帰を行うことの何れかを指定するコマンドである。
【００９９】
以上のようにして、主制御ＣＰＵ４０ａは、ＲＷＭクリアスイッチ４０ｄがオン状態に操作され、且つ設定器４０ｅがオン状態に操作された場合、電源投入処理において、主制御ＲＡＭ４０ｃのＲＷＭクリア処理、及び設定変更制御処理を行う。その一方で、主制御ＣＰＵ４０ａは、ＲＷＭクリアスイッチ４０ｄがオン状態に操作され、且つ設定器４０ｅがオフ状態に操作された場合、電源投入処理において、主制御ＲＡＭ４０ｃのＲＷＭクリア処理を行い、設定変更制御処理を行わない。
【０１００】
また、主制御ＣＰＵ４０ａは、ＲＷＭクリアスイッチ４０ｄがオフ状態に操作され、且つ設定器４０ｅがオン状態に操作された場合、電源投入処理において、復帰処理、及び設定確認制御処理を行う。その一方で、主制御ＣＰＵ４０ａは、ＲＷＭクリアスイッチ４０ｄがオフ状態に操作され、且つ設定器４０ｅがオフ状態に操作された場合、電源投入処理において、復帰処理を行い、設定確認制御処理を行わない。
【０１０１】
以上説明したように、本実施形態において、上述した電源投入処理を行う主制御ＣＰＵ４０ａは、大当り確率を定めた複数の設定値のうち何れかの設定値を（少なくとも）設定する設定制御手段に相当する。また、本実施形態において、大当り確率が、大当り遊技に関する有利度合いに相当する。
【０１０２】
次に、電源投入処理が行われた後、主制御ＣＰＵ４０ａが行う各種の処理について説明する。主制御ＣＰＵ４０ａは、所定の制御周期（例えば４ｍｓ）毎に行う割り込み処理として、特別図柄入力処理、及び特別図柄開始処理などを行う。
【０１０３】
特別図柄入力処理において、主制御ＣＰＵ４０ａは、第１始動センサＳＥ１から検知信号を入力したか否かに基づいて、第１始動口２８に遊技球が入球したか否かを判定する。
第１始動口２８に遊技球が入球した場合、主制御ＣＰＵ４０ａは、主制御ＲＡＭ４０ｃに記憶されている第１特別保留数が上限数（本実施形態では「４」）未満であるか否かを判定する。
【０１０４】
第１特別保留数が上限数未満である場合、主制御ＣＰＵ４０ａは、主制御ＲＡＭ４０ｃに記憶されている第１特別保留数を「１」加算して更新する。これにより、第１特別ゲームの保留条件（第１保留条件）が成立する。この処理において、主制御ＣＰＵ４０ａは、更新後の第１特別保留数を表示するように、情報表示装置２２を制御する。また、主制御ＣＰＵ４０ａは、更新後の第１特別保留数を特定可能な情報（以下、第１保留数コマンドと示す）を出力バッファに設定する。
【０１０５】
次に、主制御ＣＰＵ４０ａは、主制御基板４０内で生成している乱数を取得し、取得した乱数に基づく乱数情報を主制御ＲＡＭ４０ｃに記憶させる。例えば、乱数は、大当り抽選に用いる乱数、大当り図柄の決定に用いる乱数、変動パターンの決定に用いる乱数などである。この処理において、主制御ＣＰＵ４０ａは、第１特別ゲーム用の乱数情報であること、及び乱数情報の記憶順序が特定可能となるように、乱数情報を記憶させる。本実施形態では、第１特別ゲーム用の乱数情報を主制御ＲＡＭ４０ｃに記憶させておくことで、該第１特別ゲームの実行条件が成立するまで、その実行を保留することができる。なお、乱数情報は、取得した乱数そのものであってもよく、乱数を所定の手法により加工した情報であってもよい。
【０１０６】
第１特別保留数が上限数未満でない場合、主制御ＣＰＵ４０ａは、第１特別保留数が上限数未満である場合に実行される上記処理を実行しない。このように、第１保留条件は、第１特別保留数（第１特別ゲームの実行が保留されている保留ゲーム数）が予め定めた上限数（上限ゲーム数、第１上限ゲーム数）に達しているときには成立しない条件である。また、主制御ＣＰＵ４０ａは、第１特別保留数が予め定めた上限数に達しているときには、第１特別保留数が上限数に達しているときに第１始動口２８に遊技球が入球したことを特定可能な情報（以下、第１始動入賞コマンドと示す）を出力バッファに設定する。
【０１０７】
第１始動口２８に遊技球が入球していない場合、第１特別保留数が上限数未満ではない場合、及び第１特別ゲーム用の乱数情報を主制御ＲＡＭ４０ｃに記憶させた場合、主制御ＣＰＵ４０ａは、第２始動センサＳＥ２から検知信号を入力したか否かに基づいて、第２始動口２９に遊技球が入球したか否かを判定する。第２始動口２９に遊技球が入球していない場合、主制御ＣＰＵ４０ａは、特別図柄入力処理を終了する。
【０１０８】
第２始動口２９に遊技球が入球した場合、主制御ＣＰＵ４０ａは、主制御ＲＡＭ４０ｃに記憶されている第２特別保留数が上限数（本実施形態では「４」）未満であるか否かを判定する。第２特別保留数が上限数未満でない場合、主制御ＣＰＵ４０ａは、第２特別保留数が上限数に達しているときに第２始動口２９に遊技球が入球したことを特定可能な情報（以下、第２始動入賞コマンドと示す）を出力バッファに設定し、特別図柄入力処理を終了する。このように、第２保留条件は、第２特別保留数（第２特別ゲームの実行が保留されている保留ゲーム数）が予め定めた上限数（上限ゲーム数、第２上限ゲーム数）に達しているときには成立しない条件である。
【０１０９】
第２特別保留数が上限数未満である場合、主制御ＣＰＵ４０ａは、主制御ＲＡＭ４０ｃに記憶されている第２特別保留数を「１」加算して更新する。これにより、第２特別ゲームの保留条件（第２保留条件）が成立する。この処理において、主制御ＣＰＵ４０ａは、更新後の第２特別保留数を表示するように、情報表示装置２２を制御する。また、主制御ＣＰＵ４０ａは、更新後の第２特別保留数を特定可能な情報（以下、第２保留数コマンドと示す）を出力バッファに設定する。
【０１１０】
次に、主制御ＣＰＵ４０ａは、主制御基板４０内で生成している乱数を取得し、取得した乱数に基づく乱数情報を主制御ＲＡＭ４０ｃに記憶させる。この処理において、主制御ＣＰＵ４０ａは、第２特別ゲーム用の乱数情報であること、及び乱数情報の記憶順序が特定可能となるように、乱数情報を記憶させる。本実施形態では、第２特別ゲーム用の乱数情報を主制御ＲＡＭ４０ｃに記憶させておくことで、該第２特別ゲームの実行条件が成立するまで、その実行を保留することができる。
【０１１１】
次に、主制御ＣＰＵ４０ａが行う特別図柄開始処理について説明する。特別図柄開始処理は、割り込み処理として行われる。
特別図柄開始処理において、主制御ＣＰＵ４０ａは、特別ゲームの実行条件が成立しているか否かを判定する。主制御ＣＰＵ４０ａは、大当り遊技中ではなく、且つ特別ゲーム中ではない場合に肯定判定する一方で、大当り遊技中、又は特別ゲーム中である場合に否定判定する。特別ゲームの実行条件が成立していない場合、主制御ＣＰＵ４０ａは、特別図柄開始処理を終了する。
【０１１２】
その一方で、特別ゲームの実行条件が成立している場合、主制御ＣＰＵ４０ａは、主制御ＲＡＭ４０ｃに記憶されている第２特別保留数が「１」以上であるか否かを判定する。第２特別保留数が「１」以上である場合、主制御ＣＰＵ４０ａは、第２特別ゲームを開始させるように所定の処理を行う。一方、第２特別保留数が「１」以上でない場合、主制御ＣＰＵ４０ａは、主制御ＲＡＭ４０ｃに記憶されている第１特別保留数が「１」以上であるか否かを判定する。第１特別保留数が「１」以上である場合、主制御ＣＰＵ４０ａは、第１特別ゲームを開始させるように所定の処理を行う。一方、第１特別保留数が「１」以上でない場合、主制御ＣＰＵ４０ａは、特別図柄開始処理を終了する。このように、主制御ＣＰＵ４０ａは、第１特別ゲームよりも第２特別ゲームを優先して実行させる。
【０１１３】
第１特別ゲームを開始させる場合、主制御ＣＰＵ４０ａは、主制御ＲＡＭ４０ｃに記憶されている第１特別保留数を「１」減算して更新する。この処理において、主制御ＣＰＵ４０ａは、更新後の第１特別保留数が表示されるように、情報表示装置２２を制御する。次に、主制御ＣＰＵ４０ａは、第１特別ゲーム用の乱数情報のうち、最先に記憶された乱数情報を主制御ＲＡＭ４０ｃから読み出す。なお、主制御ＣＰＵ４０ａは、最先に記憶された乱数情報を読み出すと、該乱数情報を主制御ＲＡＭ４０ｃから消去する。
【０１１４】
次に、主制御ＣＰＵ４０ａは、読み出した乱数情報と、主制御ＲＡＭ４０ｃに割り当てられた主設定値フラグに記憶されている設定値と、主制御ＲＯＭ４０ｂに記憶されている大当り判定値とに基づいて、大当りに当選するか否かを判定する。本実施形態においては、例えば、各設定値（第１〜第６設定値）と各確率状態（高確率状態及び低確率状態）とに対応する大当り判定値が特定可能となるように、主制御ＲＯＭ４０ｂに大当り判定値が記憶されている。そして、大当りに当選するか否かの判定は、乱数情報から特定される乱数の値と、現在の設定値及び現在の確率状態に対応する大当り判定値とが一致するか否かにより判定される。なお、大当りに当選するか否かの判定は、乱数情報から特定される乱数の値と大当り判定値とを加算した値が、所定値を超えているか否かにより判定してもよい。
【０１１５】
大当りに当選する場合、主制御ＣＰＵ４０ａは、第１特別ゲームで導出される大当り図柄と、第１特別ゲームの変動パターンとを決定する。例えば、主制御ＣＰＵ４０ａは、読み出した第１特別ゲーム用の乱数情報を用いた抽選により、第１特別ゲームで導出される大当り図柄と、第１特別ゲームの変動パターンとを決定する。第１特別ゲームで導出される大当り図柄を決定すると、主制御ＣＰＵ４０ａは、決定した大当り図柄を特定可能な情報（以下、図柄コマンドと示す）を出力バッファに設定する。第１特別ゲームの変動パターンを決定すると、主制御ＣＰＵ４０ａは、決定した変動パターンを特定可能であって、該変動パターンに基づく演出ゲームの開始を指示する情報（以下、ゲーム開始コマンドと示す）を出力バッファに設定する。図柄コマンド及び第１ゲーム開始コマンドを出力バッファに設定した後、主制御ＣＰＵ４０ａは、特別図柄開始処理を終了する。
【０１１６】
一方、大当りに当選しないはずれの場合、主制御ＣＰＵ４０ａは、はずれ図柄を第１特別図柄表示部２２ａにて確定停止表示される最終停止図柄として決定する。次に、主制御ＣＰＵ４０ａは、読み出した変動パターンの決定に用いる乱数の値に基づき、はずれリーチ変動パターン及びはずれ変動パターンの中から変動パターンを決定する。
【０１１７】
変動パターン及び最終停止図柄を決定した場合、主制御ＣＰＵ４０ａは、大当りの場合と同じように、図柄コマンド及び第１ゲーム開始コマンドを出力バッファに設定した後、特別図柄開始処理を終了する。
【０１１８】
第２特別ゲームを開始させる場合、主制御ＣＰＵ４０ａは、前述した第１特別ゲームを開始させる場合の制御と同様の制御を行う。つまり、主制御ＣＰＵ４０ａは、第２特別保留数の減算、大当り抽選（大当り判定）、大当り抽選（大当り判定）の結果に基づく大当り図柄又ははずれ図柄の決定、大当り抽選（大当り判定）の結果に基づく変動パターンの決定、及び図柄コマンドと第２ゲーム開始コマンドとを出力バッファに設定し、特別図柄開始処理を終了する。
【０１１９】
そして、特別図柄開始処理を終了すると、主制御ＣＰＵ４０ａは、特別図柄開始処理とは別の処理を行うことによって、特別ゲームを実行させる。具体的に、主制御ＣＰＵ４０ａは、特別ゲームが開始されるように、情報表示装置２２を制御する。主制御ＣＰＵ４０ａは、特別図柄開始処理において決定した変動パターンに定められた変動時間を計測する。そして、主制御ＣＰＵ４０ａは、変動パターンに定められた変動時間が経過すると、特別図柄開始処理において決定した特別図柄が導出されるように、情報表示装置２２を制御する。また、主制御ＣＰＵ４０ａは、特別図柄開始処理において決定した変動パターンに定められた変動時間が経過すると、演出図柄の変動停止を指示し、演出図柄による図柄組み合わせを導出させるための情報（以下、ゲーム終了コマンドと示す）を出力バッファに設定する。
【０１２０】
次に、主制御ＣＰＵ４０ａが行う大当り処理について説明する。
大当り処理において、主制御ＣＰＵ４０ａは、特別図柄開始処理で決定した大当り図柄（大当りの種類）に基づく大当り遊技を付与する制御を行う。即ち、主制御ＣＰＵ４０ａは、大当り処理を実行することにより、大当り遊技を付与する。
【０１２１】
主制御ＣＰＵ４０ａは、大当りの特別ゲームが終了すると、最初にオープニング時間の開始を特定可能な情報（以下、オープニングコマンドと示す）を出力バッファに設定する。主制御ＣＰＵ４０ａは、オープニング時間が経過すると、ラウンド遊技を実行させるための処理を行う。具体的に、主制御ＣＰＵ４０ａは、大当り図柄（大当りの種類）により決定される開放パターンに基づいて大入賞口３１が開放されるように、特別アクチュエータＡ２を制御し、ラウンド遊技を開始させる。主制御ＣＰＵ４０ａは、ラウンド遊技を開始させた後、第１終了条件又は第２終了条件が成立すると、大入賞口３１が閉鎖されるように特別アクチュエータＡ２を制御し、ラウンド遊技を終了させる。主制御ＣＰＵ４０ａは、このようなラウンド遊技を実行させるための処理を、規定回数のラウンド遊技が終了するまで繰り返し行う。
【０１２２】
また、主制御ＣＰＵ４０ａは、ラウンド遊技を開始するごとに、ラウンド遊技の開始を特定可能な情報（以下、ラウンドコマンドと示す）を出力バッファに設定する。また、主制御ＣＰＵ４０ａは、ラウンド遊技を終了するごとに、ラウンド遊技の終了を特定可能な情報（以下、ラウンド終了コマンドと示す）を出力バッファに設定する。
【０１２３】
主制御ＣＰＵ４０ａは、最終回のラウンド遊技が終了すると、エンディング時間の開始を特定可能な情報（以下、エンディングコマンドと示す）を出力バッファに設定する。主制御ＣＰＵ４０ａは、エンディング時間が経過すると、大当り遊技を終了する。
【０１２４】
次に、主制御ＣＰＵ４０ａが行う遊技状態処理について説明する。
主制御ＣＰＵ４０ａは、大当り図柄ＺＡ，Ｚａに基づく大当り遊技を付与した場合、大当り遊技を終了するときに、高確率状態に制御することを特定可能な値を、主制御ＲＡＭ４０ｃに記憶されている主確率状態フラグに設定する。また、主制御ＣＰＵ４０ａは、大当り図柄ＺＡ，Ｚａに基づく大当り遊技を付与した場合、大当り遊技を終了するときに、高ベース状態に制御することを特定可能な値を、主制御ＲＡＭ４０ｃに記憶されている主ベース状態フラグに設定する。この場合、主制御ＣＰＵ４０ａは、次回の大当り遊技が開始される迄の間、高確率状態、且つ高ベース状態となるように、遊技状態を制御する。
【０１２５】
主制御ＣＰＵ４０ａは、大当り図柄ＺＢ，Ｚｂに基づく大当り遊技を付与した場合、大当り遊技を終了するときに、低確率状態に制御することを特定可能な値を、主制御ＲＡＭ４０ｃに記憶されている主確率状態フラグに設定する。また、主制御ＣＰＵ４０ａは、大当り図柄ＺＢ，Ｚｂに基づく大当り遊技を付与した場合、大当り遊技を終了するときに、高ベース状態に制御することを特定可能な値を、主制御ＲＡＭ４０ｃに記憶されている主ベース状態フラグに設定する。この場合、主制御ＣＰＵ４０ａは、上限回数を定めた高ベース状態を付与することから、上限回数に相当する回数を、高ベース状態を付与する特別ゲームの残り回数として主制御ＲＡＭ４０ｃに記憶させる。
【０１２６】
そして、主制御ＣＰＵ４０ａは、特別ゲームが実行される毎に、主制御ＲＡＭ４０ｃに記憶されている残り回数を「１」減算する。主制御ＣＰＵ４０ａは、残り回数が「０」となった場合、残り回数が「０」となった特別ゲームの終了に伴って、低ベース状態に制御することを特定可能な値を主ベース状態フラグに設定する。即ち、主制御ＣＰＵ４０ａは、上限回数の特別ゲームの終了に伴って、高ベース状態を終了させ、低ベース状態へ移行させる。
【０１２７】
主制御ＣＰＵ４０ａは、大当り遊技を付与する場合、大当り遊技を開始するときに、低確率状態に制御することを特定可能な値を主確率状態フラグに設定する。また、主制御ＣＰＵ４０ａは、大当り遊技を付与する場合、大当り遊技を開始するときに、低ベース状態に制御することを特定可能な値を主ベース状態フラグに設定する。
【０１２８】
主制御ＣＰＵ４０ａは、低確率状態に制御することを特定可能な値を主確率状態フラグに設定すると、低確率状態であることを特定可能な情報（以下、低確率状態コマンドと示す）を出力バッファに設定する。その一方で、主制御ＣＰＵ４０ａは、高確率状態に制御することを特定可能な値を主確率状態フラグに設定すると、高確率状態であることを特定可能な情報（以下、高確率状態コマンドと示す）を出力バッファに設定する。
【０１２９】
主制御ＣＰＵ４０ａは、低ベース状態に制御することを特定可能な値を主ベース状態フラグに設定すると、低ベース状態であることを特定可能な情報（以下、低ベース状態コマンドと示す）を出力バッファに設定する。その一方で、主制御ＣＰＵ４０ａは、高ベース状態に制御することを特定可能な値を主ベース状態フラグに設定すると、高ベース状態であることを特定可能な情報（以下、高ベース状態コマンドと示す）を出力バッファに設定する。なお、本実施形態において、遊技状態の制御を行う主制御ＣＰＵ４０ａが遊技状態制御手段に相当する。
【０１３０】
次に、主制御ＣＰＵ４０ａが行う普通図柄入力処理について説明する。普通図柄入力処理は、割り込み処理として行われる。
普通図柄入力処理において、主制御ＣＰＵ４０ａは、ゲートセンサＳＥ４から検知信号を入力したか否かに基づいて、ゲート３３を遊技球が通過（入球）したか否かを判定する。ゲート３３を遊技球が通過していない場合、主制御ＣＰＵ４０ａは、普通図柄入力処理を終了する。その一方で、ゲート３３を遊技球が通過した場合、主制御ＣＰＵ４０ａは、主制御ＲＡＭ４０ｃに記憶されている普通保留数が上限数（本実施形態では「４」）未満であるか否かを判定する。普通保留数が上限数未満ではない場合、主制御ＣＰＵ４０ａは、普通図柄入力処理を終了する。
【０１３１】
普通保留数が上限数未満である場合、主制御ＣＰＵ４０ａは、主制御ＲＡＭ４０ｃに記憶されている普通保留数を「１」加算して更新する。これにより、普通ゲームの保留条件が成立する。ゲート３３に遊技球が入球した場合において普通保留数が予め定めた上限数に達していないときには、普通ゲームの保留条件が成立し、普通変動ゲームの実行が保留される。また、主制御ＣＰＵ４０ａは、更新後の普通保留数を表示するように、情報表示装置２２を制御する。また、主制御ＣＰＵ４０ａは、更新後の普通保留数を特定可能な情報（以下、普通保留数コマンドと示す）を出力バッファに設定する。
【０１３２】
次に、主制御ＣＰＵ４０ａは、主制御基板４０内で生成している乱数を取得し、取得した乱数に基づく乱数情報を主制御ＲＡＭ４０ｃに記憶させる。例えば、乱数は、普通図柄の当り抽選に用いる乱数、及び普通ゲームの変動時間の決定に用いる乱数などである。この場合、主制御ＣＰＵ４０ａは、普通ゲーム用の乱数情報であること、及び乱数情報の記憶順序が特定可能となるように記憶させる。本実施形態では、普通ゲーム用の乱数情報を主制御ＲＡＭ４０ｃに記憶させておくことで、該普通ゲームの実行条件が成立するまで、その実行を保留することができる。その後、主制御ＣＰＵ４０ａは、普通図柄入力処理を終了する。
【０１３３】
次に、主制御ＣＰＵ４０ａが行う普通図柄開始処理について説明する。普通図柄開始処理は、割り込み処理として行われる。
普通図柄開始処理において、主制御ＣＰＵ４０ａは、普通ゲームの実行条件が成立しているか否かを判定する。主制御ＣＰＵ４０ａは、普通当り遊技中ではなく、且つ普通ゲーム中ではない場合に肯定判定する一方で、普通当り遊技中、又は普通ゲーム中である場合に否定判定する。普通ゲームの実行条件が成立していない場合、主制御ＣＰＵ４０ａは、普通図柄開始処理を終了する。
【０１３４】
その一方で、普通ゲームの実行条件が成立している場合、主制御ＣＰＵ４０ａは、主制御ＲＡＭ４０ｃに記憶されている普通保留数が「１」以上であるか否かを判定する。普通保留数が「１」以上ではない場合（零（０）である場合）、主制御ＣＰＵ４０ａは、普通図柄開始処理を終了する。普通保留数が「１」以上である場合、主制御ＣＰＵ４０ａは、主制御ＲＡＭ４０ｃに記憶されている普通保留数を「１」減算して更新する。また、主制御ＣＰＵ４０ａは、更新後の普通保留数が表示されるように、情報表示装置２２を制御する。次に、主制御ＣＰＵ４０ａは、普通ゲーム用の乱数情報のうち、最先に記憶された乱数情報を主制御ＲＡＭ４０ｃから読み出す。なお、主制御ＣＰＵ４０ａは、最先に記憶された乱数情報を読み出すと、該乱数情報を主制御ＲＡＭ４０ｃから消去する。
【０１３５】
次に、主制御ＣＰＵ４０ａは、読み出した乱数情報と、主制御ＲＯＭ４０ｂに記憶されている普通当り判定値とに基づいて、普通当りに当選するか否かを判定する。
普通当りに当選する場合、主制御ＣＰＵ４０ａは、普通ゲームで導出させる普通当り図柄と、普通ゲームの変動時間とを決定する。例えば、上述した普通図柄の変動時間短縮制御を採用する場合、主制御ＣＰＵ４０ａは、低ベース状態においては第１変動時間を決定し、高ベース状態においては第１変動時間よりも短い第２変動時間を決定する。主制御ＣＰＵ４０ａは、普通ゲームの変動時間を決定すると、該決定した変動時間を特定可能な情報（以下、普通開始コマンドと示す）を出力バッファに設定する。なお、普通開始コマンドは、普通図柄の当り抽選の結果を特定可能な情報であってもよい。その後、主制御ＣＰＵ４０ａは、普通図柄開始処理を終了する。
【０１３６】
普通当りに当選しない場合、主制御ＣＰＵ４０ａは、普通ゲームで導出させる普通はずれ図柄と、普通ゲームの変動時間とを決定する。主制御ＣＰＵ４０ａは、普通ゲームの変動時間を決定すると、該決定した変動時間を特定可能な普通開始コマンドを出力バッファに設定する。その後、主制御ＣＰＵ４０ａは、普通図柄開始処理を終了する。
【０１３７】
そして、主制御ＣＰＵ４０ａは、普通図柄開始処理とは別の処理を行うことによって、普通ゲームを実行させる。具体的に、主制御ＣＰＵ４０ａは、普通ゲームを開始させるとともに、普通図柄開始処理において決定した変動時間が経過したときに、普通図柄開始処理において決定した普通図柄が導出されるように、情報表示装置２２を制御する。
【０１３８】
次に、主制御ＣＰＵ４０ａが行う普通当り処理について説明する。
普通当りに当選した場合、主制御ＣＰＵ４０ａは、第２始動口２９の開放パターン（普通可変部材３０の動作パターン）を決定するとともに、該決定した開放パターンに基づいて第２始動口２９が開放されるように、普通アクチュエータＡ１を制御する。例えば、上述した開放時間延長制御を採用する場合、主制御ＣＰＵ４０ａは、低ベース状態においては第１開放パターンを決定し、高ベース状態においては、第１開放パターンよりも１回の普通当り遊技における普通可変部材３０の合計開放時間が長い第２開放パターンを決定する。
【０１３９】
次に、副制御ＣＰＵ４１ａが行う各種の処理について説明する。
最初に、副制御ＣＰＵ４１ａは、電源の投入（供給）に伴い、電源投入時に必要な各種設定（初期設定）を行う。各種設定が終了した後、副制御ＣＰＵ４１ａは、主制御ＣＰＵ４０ａから各種コマンドの入力を待ち受けする。本実施形態において、副制御ＣＰＵ４１ａは、主制御ＣＰＵ４０ａよりも早く起動するようになっており、主制御ＣＰＵ４０ａから各種コマンドが入力されるときに、副制御ＣＰＵ４１ａは、待ち受けできるようになっている。
【０１４０】
副制御ＣＰＵ４１ａは、設定値コマンドを入力すると、設定値コマンドから設定値を特定し、特定した設定値を、副制御ＲＡＭ４１ｃに割り当てられた副設定値フラグに記憶させる。この副設定値フラグは、設定された設定値を副制御ＣＰＵ４１ａが特定するためのフラグである。
【０１４１】
副制御ＣＰＵ４１ａは、電源投入初期時コマンドを入力すると、副制御ＲＯＭ４１ｂから初期状態の演出内容を示す情報を読み出し、初期状態の演出内容で演出を実行させるように制御する。一方、副制御ＣＰＵ４１ａは、電源投入復電時コマンドを入力すると、電源投入復電時コマンドとともに入力された図柄状態指定コマンドなどに基づいて、復帰前の状態の演出内容で演出を実行させるように制御する。
【０１４２】
そして、初期状態又は復帰前の状態の演出内容から演出を実行させた場合、主制御ＣＰＵ４０ａから所定の制御コマンドを所定のタイミングで入力すると、副制御ＣＰＵ４１ａは、それに応じて各種処理を行うこととなる。
【０１４３】
ここで、主制御ＣＰＵ４０ａから所定の制御コマンドを所定のタイミングで入力したときに、副制御ＣＰＵ４１ａが行う各種処理の一例について以下に説明する。
副制御ＣＰＵ４１ａが行う演出ゲーム処理について説明する。
【０１４４】
副制御ＣＰＵ４１ａは、ゲーム開始コマンド及び図柄コマンドに基づいて、演出ゲームにおいて導出させる図柄組み合わせを決定する。副制御ＣＰＵ４１ａは、図柄コマンドから特定可能な特別図柄が大当り図柄である場合、演出図柄による大当りの図柄組み合わせを決定する。副制御ＣＰＵ４１ａは、図柄コマンドから特定可能な特別図柄がはずれ図柄である場合、演出図柄によるはずれの図柄組み合わせを決定する。
【０１４５】
特に、副制御ＣＰＵ４１ａは、ゲーム開始コマンドに基づいて変動パターンを特定する。副制御ＣＰＵ４１ａは、特定した変動パターンに基づいて、リーチ演出の実行条件が成立しており、演出ゲームにおいてリーチ演出を実行する場合には、リーチを含むはずれの図柄組み合わせ（例えば、「７８７」）を決定する。本実施形態では、リーチ演出の実行条件として、はずれリーチ変動パターンが決定されたことが定められている。なお、リーチ演出の実行条件として、副制御ＣＰＵ４１ａが所定のリーチ抽選を行い、該リーチ抽選に当選したことが定められていてもよい。
【０１４６】
また、副制御ＣＰＵ４１ａは、ゲーム開始コマンドの入力を契機として、各列において演出図柄を変動表示させるように、演出表示装置２７を制御する。即ち、副制御ＣＰＵ４１ａは、演出ゲームを開始させる。副制御ＣＰＵ４１ａは、演出ゲームを開始させてから、所定のタイミングが到来すると、決定した演出図柄による図柄組み合わせを一旦停止表示させるとともに、ゲーム終了コマンドの入力を契機に、決定した演出図柄による図柄組み合わせを導出させる。なお、副制御ＣＰＵ４１ａは、ゲーム終了コマンドとは関係なく、変動パターンから特定可能な変動時間を計時し、該変動時間の経過を契機に図柄組み合わせを導出させてもよい。この場合、ゲーム終了コマンドは省略してもよい。
【０１４７】
次に、副制御ＣＰＵ４１ａが行う大当り演出処理について説明する。
副制御ＣＰＵ４１ａは、オープニングコマンドを入力すると、オープニング演出が行われるように、演出表示装置２７を制御する。副制御ＣＰＵ４１ａは、ラウンドコマンドを入力すると、ラウンド演出が行われるように、演出表示装置２７を制御する。また、副制御ＣＰＵ４１ａは、ラウンド終了コマンドを入力すると、ラウンド演出を終了させる。副制御ＣＰＵ４１ａは、エンディングコマンドを入力すると、エンディング演出が行われるように、演出表示装置２７を制御する。このように、副制御ＣＰＵ４１ａは、大当り遊技中において、オープニング演出、ラウンド演出、エンディング演出を大当り演出として実行させることとなる。
【０１４８】
本実施形態において、演出を実行させる制御を行う副制御ＣＰＵ４１ａが演出制御手段に相当する。また、画像を表示させる制御を行う副制御ＣＰＵ４１ａが表示制御手段に相当する。なお、本実施形態において、副制御ＣＰＵ４１ａは、各種演出が行われるように、演出表示装置２７に加えて、装飾ランプ１７及びスピーカ１８のうち少なくとも一方を制御してもよい。
【０１４９】
次に、副制御ＣＰＵ４１ａが行う遊技状態処理について説明する。
副制御ＣＰＵ４１ａは、低確率状態コマンドを入力すると、副制御ＲＡＭ４１ｃに記憶されている副確率状態フラグに、低確率状態であることを特定可能な値を設定する。副制御ＣＰＵ４１ａは、高確率状態コマンドを入力すると、副制御ＲＡＭ４１ｃに記憶されている副確率状態フラグに、高確率状態であることを特定可能な値を設定する。副制御ＣＰＵ４１ａは、副制御ＲＡＭ４１ｃに記憶されている副確率状態フラグを参照することにより、現在の遊技状態が低確率状態であるか、高確率状態であるかを特定できる。
【０１５０】
副制御ＣＰＵ４１ａは、低ベース状態コマンドを入力すると、副制御ＲＡＭ４１ｃに記憶されている副ベース状態フラグに、低ベース状態であることを特定可能な値を設定する。副制御ＣＰＵ４１ａは、高ベース状態コマンドを入力すると、副制御ＲＡＭ４１ｃに記憶されている副ベース状態フラグに、高ベース状態であることを特定可能な値を設定する。副制御ＣＰＵ４１ａは、副制御ＲＡＭ４１ｃに記憶されている副ベース状態フラグを参照することにより、現在の遊技状態が低ベース状態であるか、高ベース状態であるかを特定できる。
【０１５１】
本実施形態において、演出表示装置２７で実行される演出には、第１予告演出と第２予告演出とがある。第１予告演出は、特別ゲームにおいて（特別ゲームの実行中に）実行可能な演出であり、実行中の特別ゲームの大当り期待度を特定可能な演出である。特に、第１予告演出は、第１予告演出が実行されるはずれリーチ変動パターン、及び、第１予告演出が実行される大当り変動パターンが決定された場合に実行される演出である。本実施形態において、第１予告演出は、高ベース状態では実行不能であり、低ベース状態で実行可能な演出であるが、これに限らず、例えば、低ベース状態では実行不能であり、高ベース状態で実行可能な演出であってもよく、低ベース状態と高ベース状態とで実行可能な演出であってもよい。
【０１５２】
また、第１予告演出は、所定のキャラクタ画像が表示されるとともに、所定のキャラクタ画像の背後に背景画像が表示される演出である。第１予告演出は、表示色が異なる複数種類の背景画像のうち何れかが表示される演出である。特に、第１予告演出は、青色の背景画像が表示されているときには、設定されている設定値を示唆しないが、黄色又は赤色の背景画像が表示されているときには、設定されている設定値を示唆する演出である。以下、第１予告演出の演出態様について、青色の背景画像が表示される演出態様を「青色の演出態様」、黄色の背景画像が表示される演出態様を「黄色の演出態様」、赤色の背景画像が表示される演出態様を「赤色の演出態様」とそれぞれ示す場合がある。
【０１５３】
図５に示すように、青色の演出態様で第１予告演出が実行される場合、設定されている設定値が示唆されない。その一方で、黄色の演出態様で第１予告演出が実行される場合、設定２以上であることが特定可能となり、設定されている設定値が示唆される。また、赤色の演出態様で第１予告演出が実行される場合、設定４以上であることが特定可能となり、設定されている設定値が示唆される。
【０１５４】
特に、履歴情報に基づいて、所定期間（本実施形態では、規定時刻となるまでの期間）において、赤色の演出態様で第１予告演出が実行された回数が３回以上である場合に、更に赤色の演出態様で第１予告演出が実行されると、設定５以上であることが特定可能となり、設定されている設定値が示唆される。言い換えると、所定期間内において赤色の演出態様で第１予告演出が実行された回数が３回目以下となる場合には、設定４以上であることが特定可能となる一方で、４回目以上となると、設定５以上であることが特定可能となる。
【０１５５】
本実施形態において、履歴情報としては、特別ゲームの実行回数（合計、低ベース状態、高ベース状態）、第１予告演出の実行回数（合計、演出態様毎）、第２予告演出の実行回数（合計、演出態様毎）がある。また、本実施形態において、所定期間としては、０〜２時、２〜４時、…、２０〜２２時、２２〜２４時というように、偶数時間となる時刻で２時間毎に区切られる期間である。
【０１５６】
なお、本実施形態において、設定されている設定値が何れであっても、第１予告演出が実行されるはずれリーチ変動パターンが決定されたときには、同じ決定確率で第１予告演出の演出態様が決定される。また、設定されている設定値が何れであっても、第１予告演出が実行される大当り変動パターンが決定されたときには、同じ決定確率で第１予告演出の演出態様が決定される。つまり、設定されている設定値が何れであっても、第１予告演出の演出態様を決定する決定確率自体は変化しない。
【０１５７】
第２予告演出は、特別ゲームにおいて（特別ゲームの実行中に）実行可能な演出であり、実行中の特別ゲームの大当り期待度を特定可能な演出である。また、第２予告演出は、複数種類のキャラクタのうち何れかが表示される演出である。特に、第２予告演出は、第２予告演出が実行されるはずれリーチ変動パターン、及び、第２予告演出が実行される大当り変動パターンが決定された場合に実行される演出である。本実施形態において、第２予告演出は、高ベース状態では実行不能であり、低ベース状態で実行可能な演出であるが、これに限らず、例えば、低ベース状態では実行不能であり、高ベース状態で実行可能な演出であってもよく、低ベース状態と高ベース状態とで実行可能な演出であってもよい。
【０１５８】
また、第２予告演出は、複数種類のキャラクタ画像のうち何れかが表示される演出である。特に、第２予告演出は、キャラクタＣＡを模したキャラクタ画像が表示されているときには、設定されている設定値を示唆しないが、キャラクタＣＢを模したキャラクタ画像、キャラクタＣＣを模したキャラクタ画像が表示されているときには、設定されている設定値を示唆する演出である。以下、第２予告演出の演出態様について、キャラクタＣＡを模したキャラクタ画像が表示される演出態様を「キャラクタＣＡの演出態様」と示す場合がある。また、キャラクタＣＢを模したキャラクタ画像が表示される演出態様を「キャラクタＣＢの演出態様」、キャラクタＣＣを模したキャラクタ画像が表示される演出態様を「キャラクタＣＣの演出態様」とそれぞれ示す場合がある。
【０１５９】
図５に示すように、キャラクタＣＡの演出態様で第２予告演出が実行される場合、設定されている設定値が示唆されない。その一方で、キャラクタＣＢの演出態様で第２予告演出が実行される場合、設定３以上であることが特定可能となり、設定されている設定値が示唆される。キャラクタＣＣの演出態様で第２予告演出が実行される場合、設定５以上であることが特定可能となり、設定されている設定値が示唆される。
【０１６０】
特に、遊技に関する履歴情報に基づいて、所定期間において、キャラクタＣＣの演出態様で第２予告演出が実行された回数が１回以上である場合に、更にキャラクタＣＣの演出態様で第２予告演出が実行されると、設定６であることが特定可能となる。言い換えると、所定期間内においてキャラクタＣＣの演出態様で第２予告演出が実行された回数が１回目以下となる場合には、設定５以上であることが特定可能となる一方で、２回目以上となると、設定６であることが特定可能となる。
【０１６１】
なお、本実施形態において、設定されている設定値が何れであっても、第２予告演出が実行されるはずれリーチ変動パターンが決定されたときには、同じ決定確率で第２予告演出の演出態様が決定される。また、設定されている設定値が何れであっても、第２予告演出が実行される大当り変動パターンが決定されたときには、同じ決定確率で第２予告演出の演出態様が決定される。つまり、設定されている設定値が何れであっても、第２予告演出の演出態様を決定する決定確率自体は変化しない。
【０１６２】
次に、演出表示装置２７における画像の表示態様について説明する。
図６（ａ）に示すように、演出表示装置２７の表示領域２７ｒにおいて、演出図柄が確定停止表示されており、図６（ｂ）に示すように、特別ゲームの実行が開始されると、確定停止表示されていた演出図柄が変動表示される。そして、図６（ｃ）に示すように、左列及び右列の演出図柄がリーチの図柄組み合わせとして一旦停止表示される。
【０１６３】
図６（ｄ）に示すように、リーチの図柄組み合わせが一旦停止表示されたときに、第１予告演出が実行される場合がある。この場合、第１予告演出では、所定のキャラクタ画像が表示されるとともに、青色の背景画像が表示される。第１予告演出として青色の背景画像が表示される場合には、設定されている設定値が示唆されない。
【０１６４】
そして、図６（ｅ）に示すように、演出図柄がはずれの図柄組み合わせとして確定停止表示される場合と、図６（ｆ）に示すように、演出図柄が大当りの図柄組み合わせとして確定停止表示される場合とがある。
【０１６５】
また、図６（ｇ）に示すように、リーチの図柄組み合わせが一旦停止表示されたときに、第１予告演出として黄色の背景画像が表示される場合がある。第１予告演出として黄色の背景画像が表示される場合には、設定されている設定値が設定２以上であることが特定可能となり、設定されている設定値が示唆される。
【０１６６】
また、図６（ｈ）に示すように、リーチの図柄組み合わせが一旦停止表示されたときに、第１予告演出として赤色の背景画像が表示される場合がある。第１予告演出として赤色の背景画像が表示される場合には、設定されている設定値が設定４以上であることが示唆される。なお、所定期間において、第１予告演出として赤色の背景画像が表示された回数が４回以上となったときには、設定されている設定値が設定５以上であることが特定可能となり、設定されている設定値が示唆される。
【０１６７】
図７（ａ）に示すように、演出表示装置２７の表示領域２７ｒにおいて、演出図柄が確定停止表示されており、図７（ｂ）に示すように、特別ゲームの実行が開始されると、確定停止表示されていた演出図柄が変動表示される。そして、図７（ｃ）に示すように、左列及び右列の演出図柄がリーチの図柄組み合わせとして一旦停止表示される。
【０１６８】
図７（ｄ）に示すように、リーチの図柄組み合わせが一旦停止表示されたときに、第２予告演出が実行される場合がある。この場合、第２予告演出では、複数種類のキャラクタ画像のうち何れかが表示される。第２予告演出としてキャラクタＣＡを模したキャラクタ画像が表示される場合には、設定されている設定値が示唆されない。
【０１６９】
そして、図７（ｅ）に示すように、演出図柄がはずれの図柄組み合わせとして確定停止表示される場合と、図７（ｆ）に示すように、演出図柄が大当りの図柄組み合わせとして確定停止表示される場合とがある。
【０１７０】
また、図７（ｇ）に示すように、リーチの図柄組み合わせが一旦停止表示されたときに、第２予告演出としてキャラクタＣＢを模したキャラクタ画像が表示される場合がある。第２予告演出としてキャラクタＣＢを模したキャラクタ画像が表示される場合には、設定されている設定値が設定３以上であることが特定可能となり、設定されている設定値が示唆される。
【０１７１】
また、図７（ｈ）に示すように、リーチの図柄組み合わせが一旦停止表示されたときに、第２予告演出としてキャラクタＣＣを模したキャラクタ画像が表示される場合がある。第２予告演出としてキャラクタＣＣを模したキャラクタ画像が表示される場合には、設定されている設定値が設定５以上であることが示唆される。なお、所定期間において、第２予告演出としてキャラクタＣＣを模したキャラクタ画像が表示された回数が２回以上となったときには、設定されている設定値が設定６であることが特定可能となり、設定されている設定値が設定６であると報知される。
【０１７２】
また、図８（ａ）に示すように、所定期間内において第１予告演出として赤色の背景画像が表示された回数が１回となった場合には、その第１予告演出が実行された特別ゲームの実行が終了すると、第１予告演出として赤色の背景画像が表示されたことを示す１つの履歴アイコン画像が表示される。
【０１７３】
そして、図８（ｂ）に示すように、所定期間内において第１予告演出として赤色の背景画像が表示された回数が３回となった場合には、その第１予告演出が実行された特別ゲームの実行が終了すると、第１予告演出として赤色の背景画像が表示されたことを示す３つの履歴アイコン画像が表示される。また、この場合、「第１予告（赤）を実行させろ」というように、第１予告演出として赤色の背景画像を表示させることを促す報知テロップ画像が表示される場合がある。なお、本実施形態において、第１予告演出が実行されたことに対応する履歴アイコン画像としては、所定個数（例えば５個）以上となった場合、所定個数をひとまとめとした大きいサイズの履歴アイコン画像が表示されるが、これに限らない。
【０１７４】
また、図８（ｃ）に示すように、所定期間内において第２予告演出としてキャラクタＣＣを模したキャラクタ画像が表示された回数が１回となった場合には、その第２予告演出が実行された特別ゲームの実行が終了すると、第２予告演出としてキャラクタＣＣを模したキャラクタ画像が表示されたことを示す１つの履歴アイコン画像が表示される。また、この場合、「第２予告（ＣＣ）を実行させろ」というように、第２予告演出としてキャラクタＣＣを模したキャラクタ画像を表示させることを促す報知テロップ画像が表示される場合がある。なお、本実施形態において、第２予告演出が実行されたことに対応する履歴アイコン画像としても、所定個数（例えば５個）以上となった場合、所定個数をひとまとめとした大きいサイズの履歴アイコン画像が表示されるが、これに限らない。
【０１７５】
次に、図８（ｄ）に示すように、所定期間内における遊技に関する履歴情報を特定可能なゲーム履歴情報（ゲーム履歴画像）が表示可能である。このようなゲーム履歴情報は、特別ゲーム及び大当り遊技が実行されていない待機状態で操作ボタン１９の操作に応じて表示される。
【０１７６】
ゲーム履歴情報としては、所定期間内において実行された特別ゲームの実行回数と、所定期間内において低ベース状態で実行された特別ゲームの実行回数と、所定期間内において高ベース状態で実行された特別ゲームの実行回数とがある。ゲーム履歴情報としては、所定期間内において実行された第１予告演出の実行回数について、演出態様に関係ない実行回数（合計実行回数）と、演出態様毎に区分された実行回数とがある。ゲーム履歴情報としては、所定期間内において実行された第２予告演出の実行回数について、演出態様に関係ない実行回数（合計実行回数）と、演出態様毎に区分された実行回数とがある。
【０１７７】
ここで、図９を参照して、第１予告演出を実行させるための第１予告演出制御処理について説明する。第１予告演出制御処理は、ゲーム開始コマンドの入力を契機として、副制御ＣＰＵ４１ａによって呼び出される処理である。
【０１７８】
図９に示すように、副制御ＣＰＵ４１ａは、ゲーム開始コマンドにより指定された変動パターンが第１特定変動パターンであるかを判定する（ステップＳ１１１）。本実施形態において、第１特定変動パターンとしては、低ベース状態に限り決定可能な変動パターンであり、第１予告演出が実行されるはずれリーチ変動パターンと、第１予告演出が実行される大当り変動パターンとである。
【０１７９】
第１特定変動パターンではないと判定した場合、副制御ＣＰＵ４１ａは、ステップＳ１１２〜Ｓ１１４を実行することなく、第１予告演出制御処理を終了する。一方、第１特定変動パターンであると判定した場合、副制御ＣＰＵ４１ａは、副設定値フラグから値を読み出し、設定されている設定値を参照するとともに、副制御ＲＡＭ４１ｃに記憶されている遊技に関する履歴情報を参照する（ステップＳ１１２）。そして、副制御ＣＰＵ４１ａは、参照結果に基づいて所定の確率で演出態様を決定し（ステップＳ１１３）、決定結果として、第１予告演出の演出態様を特定可能な情報を副制御ＲＡＭ４１ｃに記憶し（ステップＳ１１４）、第１予告演出制御処理を終了する。
【０１８０】
特に、ステップＳ１１３において、副制御ＣＰＵ４１ａは、設定されている設定値が設定１である場合には、黄色の演出態様及び赤色の演出態様を決定せずに、青色の演出態様を決定する。副制御ＣＰＵ４１ａは、設定されている設定値が設定２，３である場合には、赤色の演出態様を決定せずに、青色の演出態様及び黄色の演出態様のうち何れかを決定する。
【０１８１】
副制御ＣＰＵ４１ａは、設定されている設定値が設定４以上である場合において、赤色の演出態様で第１予告演出が実行された実行回数が２回以下であるときには、青色の演出態様、黄色の演出態様、及び、赤色の演出態様のうち何れかを決定する。また、副制御ＣＰＵ４１ａは、設定されている設定値が設定５以上である場合において、赤色の演出態様で第１予告演出が実行された実行回数が３回以上であるときには、青色の演出態様、黄色の演出態様、及び、赤色の演出態様のうち何れかを決定する。一方、副制御ＣＰＵ４１ａは、設定されている設定値が設定４である場合において、赤色の演出態様で第１予告演出が実行された実行回数が３回以上であるときには、赤色の演出態様を決定せずに、青色の演出態様、及び、黄色の演出態様のうち何れかを決定する。このように、赤色の演出態様で実行される第１予告演出の実行回数として３回以上となった場合において、設定されている設定値が設定５，６であるときに、赤色の演出態様で第１予告演出が実行可能となる。
【０１８２】
第１予告演出制御処理とは別の処理において、第１予告演出の演出態様を特定可能な情報が副制御ＲＡＭ４１ｃに記憶された場合、副制御ＣＰＵ４１ａは、特別ゲームの実行中に、演出表示装置２７において、キャラクタ画像を表示させるとともに、決定された演出態様に対応する表示色の背景画像を表示させる。これによって、副制御ＣＰＵ４１ａは、決定された演出態様で第１予告演出を実行させる制御を行うこととなる。
【０１８３】
このように、副制御ＣＰＵ４１ａは、青色の演出態様、黄色の演出態様、及び、赤色の演出態様のうち何れかで第１予告演出を実行させる制御を行う。特に、副制御ＣＰＵ４１ａは、黄色又は赤色の演出態様で第１予告演出を実行させることによって、設定されている設定値を示唆する示唆演出を実行させる制御を行うこととなる。
【０１８４】
次に、図１０を参照して、第２予告演出を実行させるための第２予告演出制御処理について説明する。第２予告演出制御処理は、ゲーム開始コマンドの入力を契機として、副制御ＣＰＵ４１ａによって呼び出される処理である。
【０１８５】
図１０に示すように、副制御ＣＰＵ４１ａは、ゲーム開始コマンドにより指定された変動パターンが第２特定変動パターンであるかを判定する（ステップＳ１２１）。本実施形態において、第２特定変動パターンとしては、低ベース状態に限り決定可能な変動パターンであり、第２予告演出が実行されるはずれリーチ変動パターンと、第２予告演出が実行される大当り変動パターンとである。
【０１８６】
第２特定変動パターンではないと判定した場合、副制御ＣＰＵ４１ａは、ステップＳ１２２〜Ｓ１２４を実行することなく、第２予告演出制御処理を終了する。一方、第２特定変動パターンであると判定した場合、副制御ＣＰＵ４１ａは、副設定値フラグから値を読み出し、設定されている設定値を参照するとともに、副制御ＲＡＭ４１ｃに記憶されている遊技に関する履歴情報を参照する（ステップＳ１２２）。そして、副制御ＣＰＵ４１ａは、参照結果に基づいて所定の確率で演出態様を決定し（ステップＳ１２３）、決定結果として、第２予告演出の演出態様を特定可能な情報を副制御ＲＡＭ４１ｃに記憶し（ステップＳ１２４）、第２予告演出制御処理を終了する。
【０１８７】
特に、ステップＳ１２３において、副制御ＣＰＵ４１ａは、設定されている設定値が設定１，２である場合には、キャラクタＣＢ，ＣＣの演出態様を決定せずに、キャラクタＣＡの演出態様を決定する。副制御ＣＰＵ４１ａは、設定されている設定値が設定３，４である場合には、キャラクタＣＣの演出態様を決定せずに、キャラクタＣＡ，ＣＢの演出態様のうち何れかを決定する。
【０１８８】
副制御ＣＰＵ４１ａは、設定されている設定値が設定５以上である場合において、キャラクタＣＣの演出態様で第２予告演出が実行された実行回数が０回であるときには、キャラクタＣＡ〜ＣＣの演出態様のうち何れかを決定する。副制御ＣＰＵ４１ａは、設定されている設定値が設定５である場合において、キャラクタＣＣの演出態様で第２予告演出が実行された実行回数が１回以上であるときには、キャラクタＣＡ〜ＣＣの演出態様のうち何れかを決定する。一方、副制御ＣＰＵ４１ａは、設定されている設定値が設定５である場合において、キャラクタＣＣの演出態様で第２予告演出が実行された実行回数が１回以上であるときには、キャラクタＣＣの演出態様を決定せず、キャラクタＣＡ，ＣＢの演出態様のうち何れかを決定する。このように、キャラクタＣＣの演出態様で実行される第２予告演出の実行回数として１回以上となった場合において、設定されている設定値が設定６であるときに、キャラクタＣＣの演出態様で第２予告演出が実行可能となる。
【０１８９】
第２予告演出制御処理とは別の処理において、第２予告演出の演出態様を特定可能な情報が副制御ＲＡＭ４１ｃに記憶された場合、副制御ＣＰＵ４１ａは、特別ゲームの実行中に、演出表示装置２７において、決定された演出態様に対応するキャラクタ画像を表示させる。これによって、副制御ＣＰＵ４１ａは、決定された演出態様で第２予告演出を実行させる制御を行うこととなる。
【０１９０】
このように、副制御ＣＰＵ４１ａは、キャラクタＣＡ〜ＣＣの演出態様のうち何れかで第２予告演出を実行させる制御を行う。特に、副制御ＣＰＵ４１ａは、キャラクタＣＢ，ＣＣの演出態様で第２予告演出を実行させることによって、設定されている設定値を示唆する示唆演出、及び、設定されている設定値を報知する報知演出を実行させる制御を行うこととなる。
【０１９１】
本実施形態において、第１予告演出及び第２予告演出が所定演出に相当する。また、本実施形態において、青色の演出態様で実行される第１予告演出と、キャラクタＣＡの演出態様で実行される第２予告演出とが、設定されている設定値を示唆及び報知しない通常演出に相当する。また、本実施形態において、青色の演出態様と、キャラクタＣＡの演出態様とが第１演出態様に相当する。
【０１９２】
また、本実施形態において、黄色又は赤色の演出態様で実行される第１予告演出と、キャラクタＣＢ，ＣＣの演出態様で実行される第２予告演出とが特別演出に相当し、特別演出が実行される条件が特別条件に相当する。また、本実施形態において、黄色又は赤色の演出態様と、キャラクタＣＢ，ＣＣの演出態様とが第２演出態様に相当する。
【０１９３】
また、本実施形態において、赤色の演出態様で実行される第１予告演出と、キャラクタＣＣの演出態様で実行される第２予告演出とが特定演出に相当し、特定演出が実行される実行条件が特定条件に相当する。また、本実施形態において、赤色の演出態様で実行される第１予告演出が第１特定演出に、キャラクタＣＣの演出態様で実行される第２予告演出が第２特定演出にそれぞれ相当し、第１特定演出が実行される実行条件が第１特定条件に、第２特定演出が実行される実行条件が第２特定条件にそれぞれ相当する。
【０１９４】
本実施形態において、設定１が最低設定情報に、設定２以上の設定値の何れかが規定設定情報にそれぞれ相当する。また、本実施形態において、示唆する対象となる設定値が特定設定情報に相当する。特に、本実施形態において、赤色の演出態様で実行される第１予告演出の実行回数としての３回以上の回数が第１規定回数に、キャラクタＣＣの演出態様で実行される第２予告演出の実行回数としての１回以上の回数が第２規定回数にそれぞれ相当する。また、本実施形態において、赤色の演出態様で実行される第１予告演出について、設定５，６が第１特定設定情報に、キャラクタＣＣの演出態様で実行される第２予告演出について、設定６が第２特定設定情報にそれぞれ相当する。
【０１９５】
次に、図１１を参照して、履歴情報を更新するための履歴情報更新処理について説明する。履歴情報更新処理は、所定の周期ごとに副制御ＣＰＵ４１ａによって呼び出される処理である。なお、履歴情報更新処理は、第１予告演出制御処理及び第２予告演出制御処理よりも後に実行される処理であり、第１予告演出制御処理において第１予告演出の演出態様が決定された後であって、第２予告演出制御処理において第２予告演出の演出態様が決定された後に実行される処理である。
【０１９６】
図１１に示すように、副制御ＣＰＵ４１ａは、ゲーム開始コマンドの入力に基づいて、特別ゲームが開始されるかを判定する（ステップＳ１３１）。特別ゲームが開始されないと判定した場合、副制御ＣＰＵ４１ａは、ステップＳ１３２を実行させることなく、ステップＳ１３３に移行する。
【０１９７】
一方、特別ゲームが開始されると判定した場合、副制御ＣＰＵ４１ａは、特別ゲームの実行情報を履歴情報として記憶する（ステップＳ１３２）。本実施形態において、副制御ＣＰＵ４１ａは、副制御ＲＡＭ４１ｃに割り当てられた特別ゲームカウンタに「１」を加算する。また、副制御ＣＰＵ４１ａは、副確率状態フラグ及び副ベース状態フラグから値を読み出し、現在の遊技状態を特定する。続いて、副制御ＣＰＵ４１ａは、現在の遊技状態が低ベース状態である場合には、副制御ＲＡＭ４１ｃに割り当てられた低ベース特別ゲームカウンタに「１」を加算する一方で、現在の遊技状態が高ベース状態である場合には、副制御ＲＡＭ４１ｃに割り当てられた高ベース特別ゲームカウンタに「１」を加算する。このように、副制御ＣＰＵ４１ａは、所定期間における特別ゲームの実行回数を特定可能な情報を副制御ＲＡＭ４１ｃに記憶させることとなる。
【０１９８】
次に、副制御ＣＰＵ４１ａは、第１予告演出、第２予告演出の実行が決定されたかを判定する（ステップＳ１３３）。この処理において、副制御ＣＰＵ４１ａは、副制御ＲＡＭ４１ｃに第１予告演出の演出態様を特定可能な情報、第２予告演出の演出態様を特定可能な情報が記憶されたかによって、第１予告演出、第２予告演出の実行が決定されたかを判定することとなる。本実施形態において、副制御ＣＰＵ４１ａは、特別ゲームの実行が開始されるときに、第１予告演出及び第２予告演出の実行を決定し、その特別ゲームの実行が終了されるときに、ゲーム終了コマンドの入力を契機として、第１予告演出、第２予告演出の実行が決定されたかを判定することとなる。第１予告演出及び第２予告演出の実行が決定されていないと判定した場合、副制御ＣＰＵ４１ａは、ステップＳ１３４を実行することなく、ステップＳ１３５に移行する。一方、第１予告演出及び第２予告演出の何れかの実行が決定されたと判定した場合、副制御ＣＰＵ４１ａは、演出の実行情報を履歴情報として記憶し（ステップＳ１３４）、ステップＳ１３５に移行する。
【０１９９】
具体的には、第１予告演出の実行が決定されたと判定した場合、副制御ＣＰＵ４１ａは、副制御ＲＡＭ４１ｃに割り当てられた第１予告カウンタに「１」を加算するとともに、決定された演出態様に対応する演出別第１予告演出カウンタに「１」を加算する。本実施形態において、演出別第１予告演出カウンタは、第１予告演出の演出態様毎にそれぞれ対応するように副制御ＲＡＭ４１ｃに割り当てられたカウンタである。
【０２００】
一方、第２予告演出の実行が決定されたと判定した場合、副制御ＣＰＵ４１ａは、副制御ＲＡＭ４１ｃに割り当てられた第２予告カウンタに「１」を加算するとともに、決定された演出態様に対応する演出別第２予告演出カウンタに「１」を加算する。本実施形態において、演出別第２予告演出カウンタは、第２予告演出の演出態様毎にそれぞれ対応するように副制御ＲＡＭ４１ｃに割り当てられたカウンタである。
【０２０１】
このように、副制御ＣＰＵ４１ａは、所定期間において第１予告演出及び第２予告演出が実行される場合に、第１予告演出の実行回数及び第２予告演出の実行を特定可能な情報を副制御ＲＡＭ４１ｃに記憶させることとなる。詳しくは、副制御ＣＰＵ４１ａは、所定期間において第１予告演出及び第２予告演出が実行される場合に、第１予告演出の実行回数及び第２予告演出の実行回数を特定可能な情報を、各予告演出の演出態様に関係なく合計実行回数として副制御ＲＡＭ４１ｃに記憶させ、更には、各予告演出の演出態様毎に副制御ＲＡＭ４１ｃに記憶させることとなる。このように、本実施形態においては、第１予告演出及び第２予告演出の実行が決定された特別ゲームの実行が終了されるときに、第１予告カウンタ、演出別第１予告演出カウンタ、第２予告カウンタ及び演出別第２予告演出カウンタが更新されることとなる。
【０２０２】
次に、ステップＳ１３５において、副制御ＣＰＵ４１ａは、所定期間の終了条件が成立したか否かを判定する。本実施形態において、所定期間の終了条件は、規定の時刻となったときに成立し、具体的には、０時、２時、４時、６時、８時、１０時、１２時、１４時、１６時、１８時、２０時、２２時の何れかに成立する。また、副制御ＣＰＵ４１ａは、副制御基板４１に設けられているリアルタイムクロック生成素子（図示しない）からのリアルタイムクロック信号に基づいて、現在の時刻情報を特定し、所定期間の終了条件が成立したか否かを判定することとなる。所定期間の終了条件が成立していないと判定した場合、副制御ＣＰＵ４１ａは、ステップＳ１３６を実行することなく、履歴情報更新処理を終了する。一方、所定期間の終了条件が成立したと判定した場合、履歴情報を初期化し（ステップＳ１３６）、履歴情報更新処理を終了する。本実施形態において、初期化される履歴情報としては、特別ゲームカウンタ、低ベース特別ゲームカウンタ、高ベース特別ゲームカウンタ、第１予告演出カウンタ、各種の演出別第１予告演出カウンタ、第２予告演出カウンタ及び各種の演出別第２予告演出カウンタがある。
【０２０３】
このように、副制御ＣＰＵ４１ａは、所定期間が終了すると各種カウンタを初期化することによって、所定期間において実行される特別ゲームの実行回数、第１予告演出の実行回数、第２予告演出の実行回数を計数することができる。特に、副制御ＣＰＵ４１ａは、所定期間において実行される第１予告演出の実行回数を演出態様毎にも計数することができ、所定期間において実行される第２予告演出の実行回数を演出態様毎にも計数する。具体的に、副制御ＣＰＵ４１ａは、所定期間において、第１予告演出及び第２予告演出が実行された実行回数を演出態様毎に計数することによって、設定されている設定値を示唆（報知）する設定示唆機能（設定報知機能）を有する演出の実行回数を計数することができる。本実施形態において、このような処理を実行する副制御ＣＰＵ４１ａが実行回数計数手段に相当する。また、本実施形態において、副制御ＲＡＭ４１ｃが記憶手段に、副制御ＲＡＭ４１ｃに情報を記憶させる副制御ＣＰＵ４１ａが記憶制御手段にそれぞれ相当する。
【０２０４】
次に、図１２を参照して、履歴情報を表示させるための履歴情報表示制御処理について説明する。履歴情報表示制御処理は、所定の周期ごとに副制御ＣＰＵ４１ａによって呼び出される処理である。
【０２０５】
図１２に示すように、副制御ＣＰＵ４１ａは、特定操作があったかを判定する（ステップＳ１４１）。特定操作は、特別ゲーム及び大当り遊技が実行されていない待機状態において、操作ボタン１９の操作に応じて有効として受付可能な操作である。特定操作がなかったと判定した場合、副制御ＣＰＵ４１ａは、ステップＳ１４２を実行することなく、ステップＳ１４３に移行する。一方、特定操作があったと判定した場合、副制御ＣＰＵ４１ａは、履歴情報に基づくゲーム履歴情報を表示し（ステップＳ１４２）、ステップＳ１４３に移行する。この処理において、副制御ＣＰＵ４１ａは、副制御ＲＡＭ４１ｃに記憶されている履歴情報を参照して、所定期間における特別ゲームの実行回数、低ベース状態での特別ゲームの実行回数、及び、高ベース状態での特別ゲームの実行回数を読み出す。また、副制御ＣＰＵ４１ａは、副制御ＲＡＭ４１ｃに記憶されている履歴情報に基づいて、所定期間における第１予告演出の実行回数、演出態様毎に区別された第１予告演出の実行回数、第２予告演出の実行回数、演出態様毎に区別された第２予告演出の実行回数を読み出す。そして、副制御ＣＰＵ４１ａは、読み出した回数を特定可能なようにゲーム履歴情報を演出表示装置２７に表示させる制御を行う。
【０２０６】
なお、本実施形態において、副制御ＣＰＵ４１ａは、ゲーム履歴情報が表示されている場合において、表示終了条件が成立したときには、ゲーム履歴情報の表示を終了させる。この表示終了条件としては、操作ボタン１９の操作に応じて、又は、待機状態が終了して特別ゲームの実行が開始されるときに成立する。
【０２０７】
このように、副制御ＣＰＵ４１ａは、履歴情報に基づいて、所定期間における第１予告演出の実行回数及び第２予告演出の実行回数を特定可能なゲーム履歴情報を表示させることができる。言い換えると、副制御ＣＰＵ４１ａは、履歴情報に基づいて、所定期間における第１予告演出の実行回数及び第２予告演出の実行回数について、演出態様に関係なく合計実行回数として特定可能なゲーム履歴情報と、演出態様毎の実行回数として特定可能なゲーム履歴情報とを表示させることができる。
【０２０８】
また、副制御ＣＰＵ４１ａは、履歴情報に基づいて、所定期間における特別ゲームの実行回数を特定可能なゲーム履歴情報を表示させることができる。これによって、副制御ＣＰＵ４１ａは、所定期間における特別ゲームの実行回数と、第１予告演出の実行回数と、第２予告演出の実行回数とを特定可能なゲーム履歴情報を表示することにより、第１予告演出の実行頻度及び第２予告演出の実行頻度を特定可能なゲーム履歴情報を表示させることができる。本実施形態において、ゲーム履歴情報が履歴画像に相当する。
【０２０９】
次に、副制御ＣＰＵ４１ａは、履歴アイコン表示条件が成立したかを判定する（ステップＳ１４３）。この処理において、副制御ＣＰＵ４１ａは、副制御ＲＡＭ４１ｃに記憶されている履歴情報を参照して、赤色の演出態様で第１予告演出が実行された実行回数と、キャラクタＣＣの演出態様で第２予告演出が実行された実行回数とを読み出す。そして、副制御ＣＰＵ４１ａは、赤色の演出態様で第１予告演出が実行された実行回数が１以上である場合、又は、キャラクタＣＣの演出態様で第２予告演出が実行された実行回数が１以上である場合に、履歴アイコン表示条件が成立したと判定する。履歴アイコン表示条件が成立していなかったと判定した場合、副制御ＣＰＵ４１ａは、ステップＳ１４４を実行することなく、ステップＳ１４５に移行する。一方、履歴アイコン表示条件が成立したと判定した場合、副制御ＣＰＵ４１ａは、履歴アイコン画像を表示させ（ステップＳ１４４）、ステップＳ１４５に移行する。この処理において、副制御ＣＰＵ４１ａは、赤色の演出態様で第１予告演出が実行された実行回数と、キャラクタＣＣの演出態様で第２予告演出が実行された実行回数とに対応するように、履歴アイコン画像を表示させることとなる。
【０２１０】
特に、本実施形態において、第１予告演出及び第２予告演出の実行が決定された特別ゲームの実行が終了されるときに各種カウンタが更新されるため、第１予告演出及び第２予告演出の実行が決定された特別ゲームの実行が終了されると、実行された予告演出に対応する履歴アイコン画像が表示されることとなる。また、本実施形態において、所定期間の終了条件が成立した場合、各種カウンタが初期化されるため、実行された予告演出に対応する履歴アイコン画像も消去されることとなる。
【０２１１】
このように、副制御ＣＰＵ４１ａは、履歴情報に基づいて、所定期間において、赤色の演出態様で第１予告演出が実行されたことと、その実行回数とを特定可能な履歴アイコン画像を表示させる。また、副制御ＣＰＵ４１ａは、履歴情報に基づいて、所定期間において、キャラクタＣＣの演出態様で第２予告演出が実行されたことと、その実行回数とを特定可能な履歴アイコン画像を表示させる。本実施形態において、履歴アイコン画像が履歴画像に相当する。
【０２１２】
次に、副制御ＣＰＵ４１ａは、報知テロップ表示条件が成立したかを判定する（ステップＳ１４５）。この処理において、副制御ＣＰＵ４１ａは、副制御ＲＡＭ４１ｃに記憶されている履歴情報を参照して、赤色の演出態様で第１予告演出が実行された実行回数と、キャラクタＣＣの演出態様で第２予告演出が実行された実行回数とを読み出す。また、副制御ＣＰＵ４１ａは、副ベース状態フラグから値を読み出し、現在の遊技状態が低ベース状態であるか高ベース状態であるかを特定する。そして、副制御ＣＰＵ４１ａは、低ベース状態において特別ゲームの実行中であって、赤色の演出態様で第１予告演出が実行された実行回数が３以上である場合、又は、キャラクタＣＣの演出態様で第２予告演出が実行された実行回数が１以上である場合に、報知テロップ表示条件が成立したと判定する。報知テロップ表示条件が成立していなかったと判定した場合、副制御ＣＰＵ４１ａは、ステップＳ１４６を実行することなく、履歴情報表示制御処理を終了する。一方、報知テロップ表示条件が成立したと判定した場合、副制御ＣＰＵ４１ａは、報知テロップ画像を表示させ（ステップＳ１４６）、履歴情報表示制御処理を終了する。この処理において、副制御ＣＰＵ４１ａは、キャラクタＣＣの演出態様で第２予告演出が実行された実行回数が１以上である場合には、「第２予告（ＣＣ）を実行させろ」という報知テロップ画像を表示させることとなる。副制御ＣＰＵ４１ａは、キャラクタＣＣの演出態様で第２予告演出が実行された実行回数が０であり、赤色の演出態様で第１予告演出が実行された実行回数が３以上である場合には、「第１予告（赤）を実行させろ」という報知テロップ画像を表示させることとなる。このように、副制御ＣＰＵ４１ａは、赤色の演出態様で第１予告演出を実行させることと、キャラクタＣＣの演出態様で第２予告演出を実行させることとを促す報知テロップ画像を表示させることができる。
【０２１３】
ここで、図１３を参照して、所定期間における履歴アイコンの表示態様について説明する。
図１３に示すように、符号Ｔ１０に示すタイミングで所定期間が開始され、符号Ｔ１３に示すタイミングで所定期間が終了するケースを一例にあげる。この場合、符号Ｔ１０に示すタイミングから符号Ｔ１１に示すタイミングまでの間で、連続する複数回の特別ゲームが実行される。また、符号Ｔ１１に示すタイミングから符号Ｔ１２に示すタイミングまでの間で、大当り遊技が実行される。また、符号Ｔ１２に示すタイミングから符号Ｔ１３に示すタイミングまでの間で、連続する複数回の特別ゲームが実行される。
【０２１４】
このような場合において、符号Ｔ１０に示すタイミングから符号Ｔ１３に示すタイミングまでの間で、第１予告演出及び第２予告演出が実行されると、各種のカウンタが更新され、第１予告演出が実行された実行回数、第２予告演出が実行された実行回数が計数される。また、赤色の演出態様で第１予告演出を実行させた場合と、キャラクタＣＣの演出態様で第２予告演出が実行させた場合とでは、履歴アイコン画像が表示されることとなる。つまり、履歴アイコン画像は、１回の特別ゲーム又は連続する複数回の特別ゲームに跨って表示可能な画像であり、大当り遊技中においても表示可能な画像である。また、履歴アイコン画像は、低ベース状態での特別ゲームにおいても高ベース状態での特別ゲームにおいても表示可能な画像である。また、本実施形態において、符号Ｔ１３に示すタイミングで、各種のカウンタが初期化されるため、履歴アイコン画像は、消去されることとなる。
【０２１５】
以上詳述したように、本実施形態は、以下の効果を有する。
（１）大当り確率を定めた複数の設定値のうち何れかの設定値が設定される。このため、設定値に応じて、大当り確率が変化することから、遊技に変化を与えることができ、遊技に対する興趣の向上を図ることができる。
【０２１６】
（２）また、これに加えて、所定期間において赤色の演出態様で第１予告演出が実行された実行回数が３回以上となった場合、設定されている設定値が設定５以上であるときに、赤色の演出態様で第１予告演出が実行可能である。このため、所定期間において赤色の演出態様で第１予告演出を実行させた実行回数から、設定値が設定５以上であるか否かが認識でき、設定されている設定値が設定５以上であるか認識すべく、所定期間において赤色の演出態様で第１予告演出を実行させることと実行回数とについて注意させることができ、遊技に対する興趣の向上を図ることができる。同じように、所定期間においてキャラクタＣＣの演出態様で第２予告演出が実行された実行回数が１回以上となった場合、設定されている設定値が設定６であるときに、キャラクタＣＣの演出態様で第２予告演出が実行可能である。このため、所定期間においてキャラクタＣＣの演出態様で第２予告演出を実行させた実行回数から、設定値が設定６であるか否かが認識できる。したがって、設定されている設定値が設定６であるか認識すべく、所定期間でキャラクタＣＣの演出態様で第２予告演出を実行させることと実行回数について注意させることができ、遊技に対する興趣の向上を図ることができる。
【０２１７】
（３）また、示唆演出の実行により示唆される設定値又は報知演出の実行により報知される設定値は、設定２よりも有利度合いが高い又は同じ設定値である。このため、設定されている設定値が、設定２よりも有利度合いが高い又は同じ設定値であるか認識すべく、所定期間において、赤色の演出態様で第１予告演出が実行されること、キャラクタＣＣの演出態様で第２予告演出が実行されること、それらの実行回数について、より一層、注意させることができ、遊技に対する興趣の向上を図ることができる。
【０２１８】
（４）所定期間において赤色の演出態様で第１予告演出が実行された実行回数が３以上となった場合、設定されている設定値が設定５，６であるときに、赤色の演出態様で第１予告演出が実行可能となる。一方、所定期間においてキャラクタＣＣの演出態様で第２予告演出が実行された実行回数が１以上となった場合、設定されている設定値が設定６であるときに、キャラクタＣＣの演出態様で第１予告演出が実行可能となる。このため、設定されている設定値が５以上であるか６であるかを認識すべく、所定期間において赤色の演出態様で第１予告演出が実行されること、キャラクタＣＣの演出態様で第２予告演出が実行されること、それらの実行回数について注意させることができ、遊技に対する興趣の向上を図ることができる。
【０２１９】
（５）所定期間において、黄色又は赤色の演出態様で第１予告演出が実行される場合に、その実行回数を特定可能な情報が記憶される。そして、記憶された情報に基づいて、黄色又は赤色の演出態様で第１予告演出が実行された実行回数を特定可能なゲーム履歴情報が表示される。また、記憶された情報に基づいて、赤色の演出態様で第１予告演出が実行された実行回数を特定可能な履歴アイコン画像が表示される。このため、ゲーム履歴情報や履歴アイコン画像の表示により、所定期間において、黄色又は赤色の演出態様で第１予告演出が実行された実行回数が特定可能となり、設定されている設定値を予測する機会や認識する機会を提供することができ、遊技に対する興趣の向上を図ることができる。同じように、所定期間において、キャラクタＣＢ，ＣＣの演出態様で第２予告演出が実行される場合に、その実行回数を特定可能な情報が記憶される。そして、記憶された情報に基づいて、キャラクタＣＢ，ＣＣの演出態様で第２予告演出が実行された実行回数を特定可能なゲーム履歴情報が表示される。また、記憶された情報に基づいて、キャラクタＣＣの演出態様で第２予告演出が実行された実行回数を特定可能な履歴アイコン画像が表示される。このため、ゲーム履歴情報や履歴アイコン画像の表示により、所定期間において、キャラクタＣＢ，ＣＣの演出態様で第２予告演出が実行された実行回数が特定可能となり、設定されている設定値を予測する機会や認識する機会を提供することができ、遊技に対する興趣の向上を図ることができる。
【０２２０】
（６）所定期間における特別ゲームの実行回数を特定可能な情報が記憶される。そして、記憶された情報に基づいて、黄色又は赤色の演出態様で第１予告演出の実行頻度、キャラクタＣＢ，ＣＣの演出態様で第２予告演出の実行頻度を特定可能なゲーム履歴情報が表示される。このため、ゲーム履歴情報の表示により、所定期間において、黄色又は赤色の演出態様で第１予告演出が実行された実行頻度、キャラクタＣＢ，ＣＣの演出態様で第２予告演出が実行された実行頻度が特定可能となり、設定されている設定値を予測する機会や認識する機会を提供することができ、遊技に対する興趣の向上を図ることができる。
【０２２１】
（７）青色の演出態様で実行される第１予告演出、キャラクタＣＡの演出態様で実行される第２予告演出は、設定されている設定値を示唆及び報知しない演出である。青色の演出態様で実行される第１予告演出は、黄色又は赤色の演出態様で実行される第１予告演出と同じ分類であるが、異なる演出態様であり、キャラクタＣＡの演出態様で実行される第２予告演出は、キャラクタＣＢ，ＣＣの演出態様で実行される第２予告演出と同じ分類であるが、異なる演出態様である。このため、実行される第１予告演出及び第２予告演出の演出態様によって、設定されている設定値を示唆及び報知しないか、設定されている設定値を示唆又は報知するかが特定可能となる。したがって、設定されている設定値を予測する機会や認識する機会を提供することができるとともに、第１予告演出及び第２予告演出の演出態様に対して注意させることができ、遊技に対する興趣の向上を図ることができる。
【０２２２】
（８）所定期間において第１予告演出及び第２予告演出が実行される場合に、第１予告演出及び第２予告演出の実行回数を演出態様毎に特定可能な情報が記憶される。そして、記憶された情報に基づいて、所定期間における第１予告演出及び第２予告演出の実行回数を演出態様毎に特定可能なゲーム履歴情報、履歴アイコン画像が表示される。このため、ゲーム履歴情報、履歴アイコン画像の表示により、所定期間において実行された第１予告演出及び第２予告演出の実行回数が演出態様毎に特定可能となり、第１予告演出及び第２予告演出の演出態様に対して注意させることができ、遊技に対する興趣の向上を図ることができる。
【０２２３】
（９）所定期間において第１予告演出及び第２予告演出が実行される場合に、第１予告演出及び第２予告演出の実行回数を特定可能な情報が記憶される。そして、記憶された情報に基づいて、演出態様に関係なく、所定期間における第１予告演出及び第２予告演出の実行回数を特定可能なゲーム履歴情報が表示される。このため、ゲーム履歴情報の表示により、所定期間において実行された第１予告演出及び第２予告演出について、演出態様毎の実行回数と演出態様に関係ない実行回数との両方が特定可能となる。
【０２２４】
（１０）所定期間において第１予告演出及び第２予告演出が実行される場合に、第１予告演出及び第２予告演出の実行を特定可能な情報が記憶される。そして、記憶された情報に基づいて、第１予告演出及び第２予告演出の実行を特定可能なゲーム履歴情報、履歴アイコン画像が表示される。このため、ゲーム履歴情報、履歴アイコン画像の表示により、所定期間において実行された第１予告演出及び第２予告演出の実行が特定可能となり、設定されている設定値を予測する機会や認識する機会を提供することができ、遊技に対する興趣の向上を図ることができる。
【０２２５】
（１１）大当り遊技において履歴アイコン画像を表示させることができる。このため、大当り遊技が付与されているときであっても、履歴アイコン画像の表示により、所定期間において赤色の演出態様で第１予告演出が実行されたこと、キャラクタＣＣの演出態様で第２予告演出が実行されたことが特定可能となる。したがって、設定されている設定値を予測する機会や認識する機会を提供することができ、遊技に対する興趣の向上を図ることができる。
【０２２６】
（１２）特別ゲームにおいて履歴アイコン画像を表示させることができる。このため、特別ゲームが実行されているときであっても、履歴アイコン画像の表示により、所定期間において赤色の演出態様で第１予告演出が実行されたこと、キャラクタＣＣの演出態様で第２予告演出が実行されたことが特定可能となる。したがって、設定されている設定値を予測する機会や認識する機会を提供することができ、遊技に対する興趣の向上を図ることができる。
【０２２７】
（１３）連続する複数回の特別ゲームに跨って履歴アイコン画像を表示させることができる。このため、連続する複数回の特別ゲームに跨った場合であっても、履歴アイコン画像の表示により、所定期間において所定期間において赤色の演出態様で第１予告演出が実行されたこと、キャラクタＣＣの演出態様で第２予告演出が実行されたことが特定可能となる。したがって、設定されている設定値を予測する機会や認識する機会を提供することができ、遊技に対する興趣の向上を図ることができる。
【０２２８】
尚、上記実施形態は、次のような別の実施形態（別例）にて具体化できる。
・上記実施形態において、所定期間で赤色の演出態様で第１予告演出が実行された実行回数が３回以上であるか否かによって、示唆される設定値を異ならせたが、これに限らず、例えば、１回以上、２回以上、４回以上など、任意の回数であればよい。
【０２２９】
・上記実施形態において、所定期間でキャラクタＣＣの演出態様で第２予告演出が実行された実行回数が１回以上であるか否かによって、示唆又は報知される設定値を異ならせたが、これに限らず、例えば、２回以上、３回以上など、任意の回数であればよい。
【０２３０】
・上記実施形態において、示唆又は報知される設定値を異ならせる基準として、所定期間において赤色の演出態様で第１予告演出が実行された実行回数と、所定期間においてキャラクタＣＣの演出態様で第２予告演出が実行された実行回数とを採用したが、これに限らない。例えば、演出態様に関係なく所定期間において第１予告演出が実行された実行回数と、演出態様に関係なく所定期間において第２予告演出が実行された実行回数とを採用してもよい。つまり、第１予告演出の実行回数が第１規定回数となった場合、設定されている設定情報が第１特定設定情報であるときに、赤色の演出態様で第１予告演出が実行可能となってもよい。また、第２予告演出の実行回数が第２規定回数となった場合、設定されている設定情報が第２特定設定情報であるときに、キャラクタＣＣの演出態様で第２予告演出が実行可能となってもよい。
【０２３１】
・上記実施形態において、示唆又は報知される設定値を異ならせる基準として、所定期間において赤色の演出態様で第１予告演出が実行された実行回数と、所定期間においてキャラクタＣＣの演出態様で第２予告演出が実行された実行回数とを異ならせたが、これに限らず、例えば、同じ実行回数としてもよい。つまり、所定期間において赤色の演出態様で第１予告演出が実行された実行回数が規定回数となった場合、設定されている設定情報が第１特定設定情報であるときに、赤色の演出態様で第１予告演出が実行可能であってもよい。その一方で、所定期間においてキャラクタＣＣの演出態様で第２予告演出が実行された実行回数が規定回数となった場合、設定されている設定情報が第２特定設定情報であるときに、キャラクタＣＣの演出態様で第２予告演出が実行可能であってもよい。
【０２３２】
・上記実施形態において、所定期間において赤色の演出態様で第１予告演出が実行された実行回数が３回以上である場合と、所定期間においてキャラクタＣＣの演出態様で第２予告演出が実行された実行回数が１回以上である場合とで、示唆又は報知される設定値を異ならせたが、これに限らず、例えば、示唆又は報知される設定値を同じとしてもよい。つまり、所定期間において赤色の演出態様で第１予告演出が実行された実行回数が第１規定回数となった場合、設定されている設定情報が特定設定情報であるときに、赤色の演出態様で第１予告演出が実行可能であってもよい。その一方で、所定期間においてキャラクタＣＣの演出態様で第２予告演出が実行された実行回数が第２規定回数となった場合、設定されている設定情報が特定設定情報であるときに、キャラクタＣＣの演出態様で第２予告演出が実行可能であってもよい。
【０２３３】
・上記実施形態において、例えば、所定期間で赤色の演出態様で第１予告演出が実行された実行回数が０、１回である場合と、２回である場合と、３回以上である場合とで示唆又は報知される設定値を異ならせてもよい。また、例えば、所定期間で赤色の演出態様で第１予告演出が実行された実行回数が大きい回数となるほど、有利度合いの高い設定値が示唆又は報知されてもよい。また、例えば、所定期間でキャラクタＣＣの演出態様で第２予告演出が実行された実行回数が０回である場合と、１、２回である場合と、３回以上である場合とで示唆又は報知される設定値を異ならせてもよい。また、例えば、所定期間でキャラクタＣＣの演出態様で第２予告演出が実行された実行回数が大きい回数となるほど、有利度合いの高い設定値が示唆又は報知されてもよい。つまり、キャラクタＣＣの演出態様で第２予告演出が実行された実行回数が第１規定回数となった場合、設定されている設定情報が第１特定設定情報であるときに、キャラクタＣＣの演出態様で第２予告演出が実行可能となってもよい。また、キャラクタＣＣの演出態様で第２予告演出が実行された実行回数が、第１規定回数よりも大きい第２規定回数となった場合、設定されている設定情報が、第１特定設定情報よりも有利な第１特定設定情報であるときに、キャラクタＣＣの演出態様で第２予告演出が実行可能となってもよい。
【０２３４】
・上記実施形態において、例えば、所定期間において赤色の演出態様で第１予告演出が実行された実行回数が２回以下である場合には、赤色の演出態様で第１予告演出が実行されても、設定値が示唆及び報知されないように制御してもよい。
【０２３５】
・上記実施形態において、例えば、所定期間においてキャラクタＣＣの演出態様で第２予告演出が実行された実行回数が０回である場合には、キャラクタＣＣの演出態様で第２予告演出が実行されても、設定値が示唆及び報知されないように制御してもよい。
【０２３６】
・上記実施形態において、例えば、青色の演出態様で第１予告演出が実行されなくてもよい。また、例えば、キャラクタＣＡの演出態様で第２予告演出が実行されなくてもよい。つまり、第１予告演出及び第２予告演出として、設定されている設定値を示唆及び報知しない通常演出がなく、設定されている設定値を示唆又は報知する演出のみで構成されてもよい。
【０２３７】
・上記実施形態において、ゲーム履歴情報として、特別ゲームの実行回数についても表示されたが、これに限らず、例えば、ゲーム履歴情報として、特別ゲームの実行回数が表示されなくてもよい。
【０２３８】
・上記実施形態において、第１予告演出及び第２予告演出が実行された実行回数について、演出態様に関係ない合計実行回数と演出態様毎の実行回数との両方で報知されたが、これに限らず、例えば、演出態様に関係ない合計実行回数と演出態様毎の実行回数とのうち少なくとも何れか一方で報知されてもよい。
【０２３９】
・上記実施形態において、所定期間において第１予告演出及び第２予告演出が実行された実行回数が規定回数となった場合に、設定されている設定値が示唆及び報知されたが、これに限らず、例えば、所定期間において第１予告演出及び第２予告演出が実行された実行回数に関係なく、設定されている設定値が示唆及び報知されてもよい。
【０２４０】
・上記実施形態において、例えば、第１予告演出及び第２予告演出が実行されたことが特定可能なように報知されれば、所定期間において第１予告演出及び第２予告演出が実行された実行回数について報知されなくてもよい。
【０２４１】
・上記実施形態において、例えば、黄色の演出態様で第１予告演出が実行されたことと、キャラクタＣＢの演出態様で第２予告演出が実行されたことと、それらの実行回数とが特定可能なように履歴アイコン画像が表示されてもよい。また、例えば、演出態様に関係なく、第１予告演出が実行されたことと、第２予告演出が実行されたことと、それらの実行回数とが特定可能なように履歴アイコン画像が表示されてもよい。
【０２４２】
・上記実施形態において、特別ゲームの実行が終了されるときに、第１予告演出及び第２予告演出の実行が決定されたかが判定され、各種のカウンタが更新され、履歴アイコン画像が表示されたが、これに限らない。例えば、第１予告演出及び第２予告演出の実行が終了するタイミングで、第１予告演出及び第２予告演出の実行が決定されたかが判定され、各種のカウンタが更新され、履歴アイコン画像が表示されてもよい。具体的な一例として、副制御ＲＯＭ４１ｂには、特別ゲームの実行が開始されるタイミングから、第１予告演出及び第２予告演出の実行が終了するまでの時間が記憶されている。そして、副制御ＣＰＵ４１ａは、特別ゲームの実行が開始されるタイミングから、第１予告演出及び第２予告演出の実行が終了するまでの時間が経過したときに、第１予告演出及び第２予告演出の実行が決定されたかを判定する。また、例えば、第１予告演出及び第２予告演出の実行が開始するタイミングで、第１予告演出及び第２予告演出の実行が決定されたかが判定され、各種のカウンタが更新され、履歴アイコン画像が表示されてもよい。また、例えば、第１予告演出及び第２予告演出の実行が決定された特別ゲームの実行が開始されるタイミングで、第１予告演出及び第２予告演出の実行が決定されたかが判定され、各種のカウンタが更新されてもよい。また、例えば、第１予告演出及び第２予告演出の実行が決定されたかが判定され、各種のカウンタが更新され、履歴アイコン画像が表示されるタイミングが時系列順序であれば、これらの組み合わせであってもよい。また、例えば、ステップＳ１１４，Ｓ１２４において決定結果が記憶される場合に、各種のカウンタが更新されてもよく、また、例えば、第１予告演出及び第２予告演出の実行について、各種のカウンタを用いることなく、副制御ＲＡＭ４１ｃの所定領域に第１予告演出及び第２予告演出の実行を特定可能な情報が記憶されてもよい。
【０２４３】
・上記実施形態において、例えば、所定期間における履歴情報に基づいて、同じ所定期間において履歴アイコンが表示されたが、これに限らず、例えば、所定期間とは異なる期間（例えば、現在の時刻から遡って１時間、日付が変わらない期間、１００回の特別ゲームが実行された期間など）において履歴アイコンが表示されてもよい。
【０２４４】
・上記実施形態において、例えば、特別ゲームの実行中に履歴アイコン画像が表示可能であるが、大当り遊技の実行中に履歴アイコン画像が表示不能であってもよい。また、例えば、大当り遊技の実行中に履歴アイコン画像が表示可能であるが、特別ゲームの実行中に履歴アイコン画像が表示不能であってもよい。また、例えば、待機状態において、履歴アイコン画像が表示可能であっても表示不能であってもよい。
【０２４５】
・上記実施形態において、第２予告演出についての報知テロップ画像のほうが、第１予告演出についての報知テロップ画像よりも優先して表示されたが、これに限らず、例えば、第１予告演出についての報知テロップ画像のほうが、第２予告演出についての報知テロップ画像よりも優先して表示されてもよい。また、例えば、第１予告演出についての報知テロップ画像と、第２予告演出についての報知テロップ画像とがランダムで表示されてもよく、両方が同時に表示されても問題ない。
【０２４６】
・上記実施形態において、例えば、所定期間において赤色の演出態様で第１予告演出が実行された実行回数が２回以下であっても、報知テロップ画像が表示可能であってもよい。また、例えば、所定期間においてキャラクタＣＣの演出態様で第２予告演出が実行された実行回数が０回であっても、報知テロップ画像が表示可能であってもよい。
【０２４７】
・上記実施形態において、例えば、高ベース状態において特別ゲームの実行中に報知テロップ画像が表示可能であってもよい。また、例えば、大当り遊技の実行中に報知テロップ画像が表示可能であってもよい。また、例えば、低ベース状態において特別ゲームの実行中に報知テロップ画像が表示不能であってもよい。また、例えば、待機状態において、報知テロップ画像が表示可能であっても表示不能であってもよい。
【０２４８】
・上記実施形態において、例えば、第１予告演出と第２予告演出とで異なる種別の演出が実行されたが、これに限らず、例えば、第１予告演出と第２予告演出とで同じ種別の演出が実行されてもよい。特に、例えば、赤色の演出態様で実行される第１予告演出と、キャラクタＣＣの演出態様で実行される第２予告演出とが同じ種別の演出であってもよい。具体的な一例としては、キャラクタＣＣの演出態様で実行される第２予告演出を、虹色の背景画像が表示される演出態様で実行される第１予告演出としてもよい。また、例えば、赤色の演出態様で実行される第１予告演出を、キャラクタＣＤの演出態様で実行される第２予告演出としてもよい。
【０２４９】
・上記実施形態において、第１特定変動パターンが決定された場合、必ず、第１予告演出が実行されたが、これに限らず、例えば、第１予告演出が実行される場合と実行されない場合とがあってもよい。また、上記実施形態において、第２特定変動パターンが決定された場合、必ず、第２予告演出が実行されたが、これに限らず、例えば、第２予告演出が実行される場合と実行されない場合とがあってもよい。
【０２５０】
・上記実施形態において、特別ゲーム中に第１予告演出及び第２予告演出が実行されたが、これに限らず、例えば、大当り遊技中に第１予告演出及び第２予告演出の少なくとも何れかが実行されてもよい。
【０２５１】
・上記実施形態において、第１予告演出と第２予告演出との両方が実行可能であったが、これに限らず、例えば、第１予告演出と第２予告演出とのうち何れか一方が実行可能であってもよい。
【０２５２】
・上記実施形態において、２種類の予告演出に設定示唆機能を搭載したが、これに限らず、例えば、１種類の予告演出や３種類以上の予告演出に設定示唆機能を搭載してもよい。
【０２５３】
・上記実施形態において、示唆演出が実行されることによって、現状の設定値が設定４以上であるなど、現状の設定値が示唆されたが、これに限らず、例えば、現状の設定値が設定６であるなど、現状の設定値が確定的に報知されてもよく、これらの組み合わせであってもよい。また、例えば、現状の設定値が設定１〜３のうちの何れかであるときに、示唆演出が実行されてもよく、現状の設定値が設定４〜６のうちの何れかである場合と現状の設定値が設定１〜３のうちの何れかである場合とで、示唆演出の実行可否や示唆演出の演出内容の決定確率が異なれば好ましい。つまり、現状の設定値を示唆する示唆演出、及び、現状の設定値を報知する報知演出のうち少なくとも一方が実行されればよい。
【０２５４】
・上記実施形態において、例えば、示唆及び報知される設定値について、任意の設定値であってもよい。また、例えば、連続する設定値を特定可能なように設定値を示唆しなくても、偶数の設定値や奇数の設定値など、連続しない設定値を特定可能なように設定値を示唆してもよい。また、例えば、示唆演出及び報知演出の実行確率についても、任意の確率であってもよい。
【０２５５】
・上記実施形態において、２時間が経過する時刻となったときに所定期間の終了条件が成立したが、これに限らず、例えば、１時間や３時間以上であってもよく、日付単位や週単位であってもよい。
【０２５６】
・上記実施形態において、規定時刻となるまでの期間を所定期間として採用したが、これに限らない。例えば、現在の時刻から規定時間前までの期間を所定期間として採用してもよい。この場合、副制御ＣＰＵ４１ａは、履歴情報として、特別ゲームの実行が開始されるときの時刻、制御されている遊技状態、第１予告演出及び第２予告演出の実行可否、第１予告演出及び第２予告演出の演出態様を対応付けて副制御ＲＡＭ４１ｃに記憶する。そして、副制御ＣＰＵ４１ａは、現在の時刻よりも規定時間（例えば２時間）前から現在の時刻までの期間を所定期間とし、所定期間に含まれる履歴情報を初期化せずに、所定期間に含まれない履歴情報を初期化する。これによって、副制御ＣＰＵ４１ａは、所定期間における履歴情報に基づいて、所定期間における特別ゲームの実行回数、第１予告演出及び第２予告演出の実行回数が計数することができる。
【０２５７】
・上記実施形態において、例えば、過去１０００回分の特別ゲームが実行された期間など、所定回数（１回又は複数回）の特別ゲームが実行された期間を所定期間として採用してもよい。この場合、副制御ＣＰＵ４１ａは、履歴情報として、特別ゲームの実行が開始されるときの時刻、制御されている遊技状態、第１予告演出及び第２予告演出の実行可否、第１予告演出及び第２予告演出の演出態様を対応付けて副制御ＲＡＭ４１ｃに記憶する。そして、副制御ＣＰＵ４１ａは、最新の特別ゲームから遡り所定回数分の特別ゲームが実行された期間を所定期間とし、所定期間に含まれる履歴情報を初期化せずに、所定期間に含まれない履歴情報を初期化する。これによって、副制御ＣＰＵ４１ａは、所定期間における履歴情報に基づいて、所定期間における特別ゲームの実行回数、第１予告演出及び第２予告演出の実行回数が計数することができる。
【０２５８】
・上記実施形態において、例えば、第１予告演出及び第２予告演出が大当り遊技中に実行されることを前提として、所定回数分の大当り遊技が実行されている期間を所定期間として採用してもよい。この場合、副制御ＣＰＵ４１ａは、履歴情報として、大当り遊技の実行が開始される時刻、第１予告演出及び第２予告演出の実行可否、第１予告演出及び第２予告演出の演出態様を対応付けて副制御ＲＡＭ４１ｃに記憶する。そして、副制御ＣＰＵ４１ａは、最新の大当り遊技から遡り所定回数分の大当り遊技が実行された期間を所定期間とし、所定期間に含まれる履歴情報を初期化せずに、所定期間に含まれない履歴情報を初期化する。これによって、副制御ＣＰＵ４１ａは、所定期間における履歴情報に基づいて、所定期間における第１予告演出及び第２予告演出の実行回数が計数することができる。また、例えば、上記構成の組み合わせを所定期間として採用してもよく、上記構成の少なくとも何れかを所定期間として採用してもよい。
【０２５９】
・上記実施形態において、例えば、図柄ＺＢ，Ｚｂに基づく大当り遊技のラウンド遊技の上限回数と同じ大当り遊技があってもよく、その大当り遊技の終了後に高確率状態に制御されてもよい。例えば、図柄ＺＡ，Ｚａに基づく大当り遊技のラウンド遊技の上限回数と同じ大当り遊技があってもよく、その大当り遊技の終了後に低確率状態に制御されてもよい。
【０２６０】
・上記実施形態において、例えば、大当り遊技の終了後、予め定めた回数（例えば１００回など）の特別ゲームが実行される迄、高確率状態が付与されるように構成してもよい。
【０２６１】
・上記実施形態において、大当りの種類に基づいて、大当り遊技の終了後に高確率状態に制御されるか低確率状態に制御されるかが決定されたが、これに限らない。例えば、大当り遊技中において、大入賞口３１に入球した遊技球が特殊通過領域を通過したときに、大当り遊技の終了後に高確率状態に制御される一方で、大当り遊技中において、大入賞口３１に入球した遊技球が特殊通過領域を通過しなかったときに、大当り遊技の終了後に低確率状態に制御されてもよい。また、例えば、大入賞口３１に入球した遊技球が特殊通過領域を通過し易い大当りと、大入賞口３１に入球した遊技球が特殊通過領域を通過し難い大当りとがあってもよい。この場合、大入賞口３１に入球した遊技球を振り分ける振分部材が設けられており、大当りの種類に基づいて振分部材の振分態様が決定される。そして、振分部材の振分態様に応じて、大入賞口３１に入球した遊技球が特殊通過領域を通過する確率が異なるように制御されてもよい。
【０２６２】
・上記実施形態において、遊技状態として確率状態及びベース状態が採用されたが、これに限らず、例えば、遊技状態として確率状態が採用されずにベース状態が採用されてもよい。
【０２６３】
・上記実施形態において、例えば、大当り抽選とは別で小当り抽選が行われてもよい。また、例えば、変動パターンに、小当り抽選に当選したときの変動パターンがあってもよく、設定示唆変動パターンに、小当り抽選に当選したときの変動パターンがあってもよい。
【０２６４】
・上記実施形態において、例えば、大当り遊技の終了後、低ベース状態となる大当りの種類があってもよい。
・上記実施形態において、第１特別ゲームよりも第２特別ゲームを優先的に実行したが、これに限らず、例えば、第２特別ゲームよりも第１特別ゲームを優先的に実行してもよい。また、例えば、第１始動口２８及び第２始動口２９に遊技球が入球した順序で実行されてもよく、例えば、第１特別ゲームと第２特別ゲームとが同時に実行可能であってもよい。
【０２６５】
・上記実施形態において、主制御基板４０と副制御基板４１とが配設され、各種機能が搭載されたが、これに限らず、例えば、一方の基板における機能が他方の基板における機能として搭載されてもよい。また、演出表示装置２７の制御を行う手段が別々に備えられてもよい。また、このような２種類の基板に限らず、例えば、一体的な基板として構成されてもよく、３種類以上の基板として構成されてもよい。具体的な一例としては、副制御基板４１の機能を、演出に関する制御を統括的に行う統括制御基板と、画像の表示に関する制御を行う表示制御基板とに分けてもよい。
【０２６６】
・上記実施形態において、図柄コマンドにより、大当り（大当り遊技）の種類を指定していたが、ゲーム開始コマンドや、その他専用の制御コマンドにより、大当りの種類を指定するようにしてもよい。
【０２６７】
・上記実施形態において、特別ゲームに係わる各種の乱数情報は、特別保留数に応じて設けられた記憶領域に記憶するようにしてもよい。この場合、特別ゲームが実行される毎に、乱数情報がシフト処理され、特別保留数が「１」減算された記憶領域に記憶してもよい。
【０２６８】
・上記実施形態において、例えば、所定の抽選により特別可変部材３２が開状態に動作し、大入賞口３１に入球した遊技球が特定通過領域を通過したことにより大当り遊技が付与される遊技機（所謂、「２種の遊技機」）であってもよい。また、例えば、特別ゲームにおける大当り抽選に当選することにより特別可変部材３２が開状態に動作する遊技機（所謂、「１種２種混合の遊技機」）であってもよい。また、所定の入球口への遊技球の入球を契機として大当り遊技が開始される遊技機（所謂、３種の遊技機）であってもよい。また、例えば、高確率状態が付与されなくてもよい。
【０２６９】
次に、上記実施形態及び別例から把握できる技術的思想を以下に追記する。
（イ）図柄変動ゲームで大当り表示結果が表示された後に、大入賞口を開状態にする大当り遊技を付与する遊技機において、前記大当り遊技に関する有利度合いを定めた複数の設定情報のうち何れかの設定情報を設定する設定制御手段と、記憶手段に情報を記憶させる記憶制御手段と、画像を表示させる表示制御手段と、演出を実行させる制御を行う演出制御手段と、を備え、前記演出には、特別条件が成立すると実行される特別演出があり、前記特別演出には、前記設定制御手段によって設定された設定情報を示唆する示唆演出、及び、前記設定制御手段によって設定された設定情報を報知する報知演出のうち少なくとも一方があり、前記記憶制御手段は、所定期間において前記特別演出が実行される場合に、前記特別演出の実行回数を特定可能な情報を前記記憶手段に記憶させ、前記表示制御手段は、前記記憶制御手段によって記憶された情報に基づいて、前記特別演出の実行回数を特定可能な履歴画像を表示させることを特徴とする。
【０２７０】
（ロ）図柄変動ゲームで大当り表示結果が表示された後に、大入賞口を開状態にする大当り遊技を付与する遊技機において、前記大当り遊技に関する有利度合いを定めた複数の設定情報のうち何れかの設定情報を設定する設定制御手段と、記憶手段に情報を記憶させる記憶制御手段と、画像を表示させる表示制御手段と、演出を実行させる制御を行う演出制御手段と、を備え、前記演出には、特別条件が成立すると実行される特別演出があり、前記特別演出には、前記設定制御手段によって設定された設定情報を示唆する示唆演出、及び、前記設定制御手段によって設定された設定情報を報知する報知演出のうち少なくとも一方があり、前記記憶制御手段は、所定期間において前記特別演出が実行される場合に、前記特別演出の実行を特定可能な情報を前記記憶手段に記憶させ、前記表示制御手段は、前記記憶制御手段によって記憶された情報に基づいて、前記特別演出の実行を特定可能な履歴画像を表示させることを特徴とする。
【０２７１】
（ハ）図柄変動ゲームで大当り表示結果が表示された後に、大入賞口を開状態にする大当り遊技を付与する遊技機において、前記大当り遊技に関する有利度合いを定めた複数の設定情報のうち何れかの設定情報を設定する設定制御手段と、特定条件の成立を契機として特定演出を実行させる制御を行う演出制御手段と、所定期間において実行された前記特定演出の実行回数を計数する実行回数計数手段と、を備え、前記実行回数計数手段によって計数された前記特定演出の実行回数が規定回数となった場合、前記特定条件は、前記設定制御手段によって設定された設定情報が特定設定情報であるときに成立可能な条件であることを特徴とする。
【符号の説明】
【０２７２】
Ａ１…普通アクチュエータ、Ａ２…特別アクチュエータ、ＳＥ１…第１始動センサ、ＳＥ２…第２始動センサ、ＳＥ３…特別入賞センサ、ＳＥ４…ゲートセンサ、ＳＥ５…一般入賞センサ、１０…パチンコ遊技機、１７…装飾ランプ、１８…スピーカ、１９…操作ボタン、２０…遊技盤、２１…遊技領域、２２ａ…第１特別図柄表示部、２２ｂ…第２特別図柄表示部、２７…演出表示装置、２８…第１始動口、２９…第２始動口、３０…普通可変部材、３１…大入賞口、３２…特別可変部材、３３…ゲート、４０…主制御基板、４０ａ…主制御ＣＰＵ（設定制御手段、遊技状態制御手段）、４０ｂ…主制御ＲＯＭ、４０ｃ…主制御ＲＡＭ、４１…副制御基板、４１ａ…副制御ＣＰＵ（演出制御手段、表示制御手段）、４１ｂ…副制御ＲＯＭ、４１ｃ…副制御ＲＡＭ。
【図１】
2020028482.tif 000003
【図２】
2020028482.tif 000004
【図３】
2020028482.tif 000005
【図４】
2020028482.tif 000006
【図５】
2020028482.tif 000007
【図６】
2020028482.tif 000008
【図７】
2020028482.tif 000009
【図８】
2020028482.tif 000010
【図９】
2020028482.tif 000011
【図１０】
2020028482.tif 000012
【図１１】
2020028482.tif 000013
【図１２】
2020028482.tif 000014
【図１３】
2020028482.tif 000015